(57)【特許請求の範囲】
【請求項１】
方法であって、
制御フォーマット・インジケータ・チャネル・リソースによって、制御フォーマット・インジケータ信号で第１のキャリアに関連する少なくとも第１の制御領域パラメータを、サービス提供アクセス・ポイントから受信することと、
割り当てられた制御チャネル・リソースによって、第２のキャリアに関連する少なくとも第２の制御領域パラメータを、前記サービス提供アクセス・ポイントから受信することと、
前記第１の制御領域パラメータまたは前記第２の制御領域パラメータに少なくとも部分的に基づいて、前記複数のキャリアのうちの１つによって受信された１または複数の信号のデータ部分を判定することと、
前記第１の制御領域パラメータまたは前記第２の制御領域パラメータに少なくとも部分的に基づいて、前記複数のキャリアのうちの別の１つによって受信された１または複数の別の信号の別のデータ部分を判定すること、
前記第１の制御領域パラメータおよび前記第２の制御領域パラメータ間の相違に少なくとも部分的に基づいて、１または複数のブランクのリソースを判定すること、
を備える方法。
【請求項２】
前記第１のキャリアによって、前記サービス提供アクセス・ポイントから前記１または複数の信号を、前記第２のキャリアによって、第２のアクセス・ポイントから前記１または複数の別の信号を受信すること、をさらに備える請求項１に記載の方法。
【請求項３】
割り当てられた制御チャネル・リソースによって、前記サービス提供アクセス・ポイントから前記キャリアのおのおのの制御領域パラメータを受信することをさらに備える、請求項１に記載の方法。
【請求項４】
前記第１の制御領域パラメータまたは前記第２の制御領域パラメータの少なくとも１つは、フレーム内で始まるシンボルの番号、または、前記フレーム内でデータ通信が始まるシンボルのインデクスに関する制御領域サイズを備える、請求項３に記載の方法。
【請求項５】
前記１または複数のブランクのリソースの間に、１または複数の近隣アクセス・ポイントからの干渉を測定することをさらに備える、請求項１に記載の方法。
【請求項６】
前記１または複数のブランクのリソースの間に、制御シグナリングを受信することをさらに備える、請求項１に記載の方法。
【請求項７】
前記１または複数の別の信号の別のデータ部分を判定することは、前記１または複数の制御領域パラメータのうちの１つに少なくとも部分的に基づいて、前記１または複数の別の信号の別のデータ部分を判定することを含む、請求項１に記載の方法。
【請求項８】
前記少なくとも前記第１の制御領域パラメータおよび前記第２の制御領域パラメータを受信することは、設定、ハードコーディング、またはネットワーク仕様の少なくとも１つから受信することである、請求項１に記載の方法。
【請求項９】
前記第１のキャリアによって受信された前記１または複数の信号のデータ部分、または、前記第２のキャリアによって受信された前記１または複数の別の信号の別のデータ部分のうちの少なくとも１つからのデータを復号することをさらに備える、請求項１に記載の方法。
【請求項１０】
データ通信のために確保されたシンボルのサブセットに関連するインジケーションを、前記サービス提供アクセス・ポイントから受信することをさらに備える、請求項９に記載の方法。
【請求項１１】
無線通信装置であって、
制御フォーマット・インジケータ・チャネル・リソースによって、制御フォーマット・インジケータ信号で第１のキャリアに関連する少なくとも第１の制御領域パラメータを、サービス提供アクセス・ポイントから受信し、
割り当てられた制御チャネル・リソースによって、第２のキャリアに関連する少なくとも第２の制御領域パラメータを、前記サービス提供アクセス・ポイントから受信し、
前記第１の制御領域パラメータまたは前記第２の制御領域パラメータに少なくとも部分的に基づいて、前記複数のキャリアのうちの１つによって受信された１または複数の信号のデータ部分を判定し、
前記第１の制御領域パラメータまたは前記第２の制御領域パラメータのうちの１または複数に少なくとも部分的に基づいて、前記複数のキャリアのうちの別の１つによって受信された１または複数の別の信号の別のデータ部分を判定し、
ブランクのリソースを検出する、ここで前記制御領域パラメータの１つは、他の制御領域パラメータより大きい制御領域を示す、
ように構成された少なくとも１つのプロセッサと、
前記少なくとも１つのプロセッサに接続されたメモリと、
を備える無線通信装置。
【請求項１２】
前記キャリアのそれぞれは、ＣｏＭＰ通信を提供する複数のアクセス・ポイントの少なくとも１つに関連する、請求項１１に記載の無線通信装置。
【請求項１３】
前記少なくとも１つのプロセッサは、前記サービス提供アクセス・ポイントにおいて確立された制御チャネル・リソースによって前記第１の制御領域パラメータまたは前記第２の制御領域パラメータのうちの少なくとも１つ受信する、請求項１１に記載の無線通信装置。
【請求項１４】
前記第１の制御領域パラメータまたは前記第２の制御領域パラメータの少なくとも１つは、フレーム内の制御領域のうちの少なくとも１つを備える最初のシンボルの番号、または、前記第１のキャリアまたは前記第２のキャリアのうちの１または複数のためのフレームとのデータ通信の開始に関連するシンボルのインデクスを含む、請求項１１に記載の無線通信装置。
【請求項１５】
装置であって、
制御フォーマット・インジケータ・チャネル・リソースによって、制御フォーマット・インジケータ信号で第１のキャリアに関連する少なくとも第１の制御領域パラメータを、サービス提供アクセス・ポイントから受信する手段と、
割り当てられた制御チャネル・リソースによって、第２のキャリアに関連する少なくとも第２の制御領域パラメータを、前記サービス提供アクセス・ポイントから受信する手段と、
前記第１の制御領域パラメータまたは前記第２の制御領域パラメータの１または複数に少なくとも部分的に基づいて、前記複数のキャリアのうちの１つによって受信された１または複数の信号のデータ部分を判定する手段と、
前記第１の制御領域パラメータまたは前記第２の制御領域パラメータの１または複数に少なくとも部分的に基づいて、前記複数のキャリアのうちの別の１つによって受信された１または複数の別の信号の別のデータ部分を判定する手段と、
前記第１の制御領域パラメータおよび前記第２の制御領域パラメータ間の相違に少なくとも部分的に基づいて、１または複数のブランクのリソースを判定する手段と、
を備える装置。
【請求項１６】
前記複数のキャリアはおのおの、ＣｏＭＰ通信におけるアクセス・ポイントに関連する、請求項１５に記載の装置。
【請求項１７】
コンピュータ読取可能な記録媒体であって、
少なくとも１つのコンピュータに対して、制御フォーマット・インジケータ・チャネル・リソースによって、制御フォーマット・インジケータ信号で第１のキャリアに関連する少なくとも第１の制御領域パラメータを、サービス提供アクセス・ポイントから取得させるためのコードと、
前記少なくとも１つのコンピュータに対して、割り当てられた制御チャネル・リソースによって、第２のキャリアに関連する少なくとも第２の制御領域パラメータを、前記サービス提供アクセス・ポイントから取得させるためのコードと、
前記少なくとも１つのコンピュータに対して、前記第１の制御領域パラメータまたは前記第２の制御領域パラメータの１つに少なくとも部分的に基づいて、前記複数のキャリアのうちの１つによって受信された１または複数の信号のデータ部分を判定させるためのコードと、
前記少なくとも１つのコンピュータに対して、前記第１の制御領域パラメータまたは前記第２の制御領域パラメータの１または複数に少なくとも部分的に基づいて、前記複数のキャリアのうちの別の１つによって受信された１または複数の別の信号の別のデータ部分を復号させるためのコードと、
前記少なくとも１つのコンピュータに対して、前記第１の制御領域パラメータおよび前記第２の制御領域パラメータ間の相違に少なくとも部分的に基づいて、１または複数のブランクのリソースを判定させるためのコード、
を記録するコンピュータ読取可能な記録媒体。
【請求項１８】
前記複数のキャリアは、ＣｏＭＰ通信を提供する複数のアクセス・ポイントに関連する、請求項１７に記載のコンピュータ読取可能な記録媒体。
【請求項１９】
前記第１の制御領域パラメータまたは前記第２の制御領域パラメータの少なくとも１つは、フレーム内の制御領域の少なくとも１つを備える最初のシンボルの番号、または、前記第１のキャリアまたは前記第２のキャリアのうちの１または複数のためのフレームとのデータ通信の開始に関連するシンボルのインデクスを含む、請求項１７に記載のコンピュータ読取可能な記録媒体。
【請求項２０】
装置であって、
制御フォーマット・インジケータ・チャネル・リソースによって、制御フォーマット・インジケータ信号で第１のキャリアに関連する少なくとも第１の制御領域パラメータを、サービス提供アクセス・ポイントから受信する受信構成要素と、
割り当てられた制御チャネル・リソースによって、調整されたマルチ・ポイント（ＣｏＭＰ）通信環境で、第２のキャリアに関連する少なくとも第２の制御領域パラメータを、前記サービス提供アクセス・ポイントから受信する前記受信構成要素と、
前記第１の制御領域パラメータまたは前記第２の制御領域パラメータの１または複数に少なくとも部分的に基づいて、前記複数のキャリアによって受信された１または複数の信号のデータ部分を検出するデータ部分判定構成要素と、
前記第１の制御領域パラメータまたは前記第２の制御領域パラメータの１または複数に少なくとも部分的に基づいて、前記複数のキャリアのうちの別の１つによって受信された１または複数の別の信号の別のデータ部分を判定する別のデータ部分判定構成要素と、
前記第１の制御領域パラメータおよび前記第２の制御領域パラメータ間の相違に少なくとも部分的に基づいて、１または複数のブランクのリソースを判定するブランク・リソース判定構成要素と、
を備える装置。
【請求項２１】
前記複数のキャリアはおのおの、前記ＣｏＭＰ通信環境におけるアクセス・ポイントに関連する、請求項２０に記載の装置。
【請求項２２】
方法であって、
複数のキャリアによって、調整されたマルチ・ポイント（ＣｏＭＰ）信号を通信することに関連する複数の制御領域フォーマットを受信することと、
前記複数の制御領域フォーマットに関連する１または複数の制御領域パラメータを備える信号を生成することと、
前記信号を、制御チャネル・リソースによって、１または複数の無線デバイスに送信することと、
制御フォーマット・インジケータ信号で、１または複数の別の制御領域パラメータを示すことと、
前記制御フォーマット・インジケータ信号を、制御フォーマット・インジケータ・チャネル・リソースによって前記１または複数の無線デバイスへ送信することと、
前記複数の制御領域フォーマットから除外された前記１または複数の別の制御領域パラメータに関連するリソースの部分に少なくとも部分的に基づいて、１または複数のブランクのリソースを判定することと、
を備える方法。
【請求項２３】
前記複数の制御領域フォーマットを受信することは、前記複数の制御領域フォーマットを、前記複数のキャリアに関連するＣｏＭＰ通信を実施する複数のアクセス・ポイントから受信することを含む、請求項２２に記載の方法。
【請求項２４】
前記１または複数のブランクのリソースを用いて、前記１または複数の無線デバイスへ通信を送信することをさらに備える、請求項２２に記載の方法。
【請求項２５】
データ通信に関連するフレームにおけるシンボルのサブセットを判定することと、
前記シンボルのサブセットを、前記１または複数の無線デバイスに示すことと、
をさらに備える請求項２２に記載の方法。
【請求項２６】
無線通信装置であって、
複数のキャリアによって、調整されたマルチ・ポイント（ＣｏＭＰ）信号を通信することに関連する複数の制御領域フォーマットを受信し、
前記複数の制御領域フォーマットに関連する１または複数の制御領域パラメータを備える信号を生成し、
前記信号を、１または複数の無線デバイスに割り当てられた制御チャネル・リソースによって送信し、
制御フォーマット・インジケータ信号で、１または複数の別の制御領域パラメータを示し、
前記制御フォーマット・インジケータ信号を、制御フォーマット・インジケータ・チャネル・リソースによって前記１または複数の無線デバイスへ送信し、
前記複数の制御領域フォーマットから除外された前記１または複数の別の制御領域パラメータに関連するリソースの部分に少なくとも部分的に基づいて、１または複数のブランクのリソースを判定する、
ように構成された少なくとも１つのプロセッサと、
前記少なくとも１つのプロセッサに接続されたメモリと、
を備える無線通信装置。
【請求項２７】
前記複数のキャリアはおのおの、複数のアクセス・ポイントのうちの１つに関連する、請求項２６に記載の無線通信装置。
【請求項２８】
装置であって、
複数のキャリアによって、調整されたマルチ・ポイント信号を通信することに関連する複数の制御領域フォーマットを受信する手段と、
前記複数の制御領域フォーマットに関連する１または複数の制御領域パラメータを備える信号を生成する手段と、
前記信号を、１または複数の無線デバイスに割り当てられた制御チャネル・リソースによって、送信する手段と、
制御フォーマット・インジケータ信号で、１または複数の別の制御領域パラメータを示す手段と、
前記制御フォーマット・インジケータ信号を、制御フォーマット・インジケータ・チャネル・リソースによって前記１または複数の無線デバイスへ送信する手段と、
前記複数の制御領域フォーマットから除外された前記１または複数の別の制御領域パラメータに関連するリソースの部分に少なくとも部分的に基づいて、１または複数のブランクのリソースを判定する手段と、
を備える装置。
【請求項２９】
前記複数のキャリアはおのおの、複数のアクセス・ポイントのうちの１つに関連する、請求項２８に記載の装置。
【請求項３０】
コンピュータ読取可能な記録媒体であって、
少なくとも１つのコンピュータに対して、複数のキャリアによって、調整されたマルチ・ポイント（ＣｏＭＰ）信号を通信することに関連する複数の制御領域フォーマットを受信させるためのコードと、
前記少なくとも１つのコンピュータに対して、前記複数の制御領域フォーマットに関連する１または複数の制御領域パラメータを備える信号を生成させるためのコードと、
前記少なくとも１つのコンピュータに対して、１または複数の無線デバイスに割り当てられた制御チャネル・リソースによって前記信号を送信させるためのコードと、
前記少なくとも１つのコンピュータに対して、制御フォーマット・インジケータ信号で、１または複数の別の制御領域パラメータを示させるためのコードと、
前記少なくとも１つのコンピュータに対して、前記制御フォーマット・インジケータ信号を、制御フォーマット・インジケータ・チャネル・リソースによって前記１または複数の無線デバイスへ送信させるためのコードと、
前記少なくとも１つのコンピュータに対して、前記複数の制御領域フォーマットから除外された前記１または複数の別の制御領域パラメータに関連するリソースの部分に少なくとも部分的に基づいて、１または複数のブランクのリソースを判定させるためのコードと、
を記録するコンピュータ読取可能な記録媒体。
【請求項３１】
前記複数のキャリアはおのおの、複数のアクセス・ポイントのうちの１つに関連する、請求項３０に記載のコンピュータ読取可能な記録媒体。
【請求項３２】
前記コンピュータ読取可能な記録媒体はさらに、前記少なくとも１つのコンピュータに対して、１または複数の別の制御領域パラメータに関連する別の信号を、制御フォーマット・インジケータ・チャネル・リソースで送信させるためのコードを備える、請求項３０に記載のコンピュータ読取可能な記録媒体。
【請求項３３】
装置であって、
複数のキャリアによって、調整されたマルチ・ポイント（ＣｏＭＰ）信号を通信することに関連する複数の制御領域フォーマットを受信する制御パラメータ受信構成要素と、
前記複数の制御領域フォーマットに関連する１または複数の制御領域パラメータを備える信号を生成する制御チャネル・シグナリング構成要素と、
前記信号を、制御チャネル・リソースによって、１または複数の無線デバイスへ通信する送信構成要素と、
制御フォーマット・インジケータ信号で、１または複数の別の制御領域パラメータを示す制御フォーマット・シグナリング構成要素と、
前記制御フォーマット・インジケータ信号を、制御フォーマット・インジケータ・チャネル・リソースによって前記１または複数の無線デバイスへ送信する送信構成要素と、
前記複数の制御領域フォーマットから除外された前記１または複数の別の制御領域パラメータに関連するリソースの部分に少なくとも部分的に基づいて、１または複数のブランクのリソースを判定するブランク・リソース判定構成要素と、
を備える装置。
【請求項３４】
前記複数のキャリアはおのおの、複数のアクセス・ポイントのうちの１つに関連する、請求項３３に記載の装置。
【発明の詳細な説明】
【相互参照】
【０００１】
本願は、２００９年７月３０日に出願され「ＣｏＭＰ送信における制御シンボル数をシグナリングすること」（SIGNALING NUMBER OF CONTROL SYMBOLS IN CoMP TRANSMISSIONS）と題された米国仮特許出願６１／２３０，０６３号の利益を主張する。上記出願の全体は、参照によって本明細書に組み込まれる。
【技術分野】
【０００２】
本開示は、一般に、無線通信に関し、さらに詳しくは、複数の送信ポイントからの通信を調整することに関連する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）等のような仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信によって、１または複数のアクセス・ポイント（例えば、基地局、フェムトセル、ピコセル、リレー・ノード等）と通信しうる。順方向リンク（すなわちダウンリンク）は、アクセス・ポイントからモバイル・デバイスへの通信リンクを称し、逆方向リンク（すなわちアップリンク）は、モバイル・デバイスからアクセス・ポイントへの通信リンクを称する。さらに、モバイル・デバイスとアクセス・ポイントとの間の通信は、単一入力単一出力（ＳＩＳＯ）システム、複数入力単一出力（ＭＩＳＯ）システム、複数入力複数出力（ＭＩＭＯ）システム等によって確立されうる。さらに、ピア・トゥ・ピア無線ネットワーク構成において、モバイル・デバイスが、他のモバイル・デバイスと（および／または、アクセス・ポイントが、他のアクセス・ポイントと）通信することができる。
【発明の概要】
【０００５】
以下は、このような態様の基本的な理解を与えるために、特許請求された主題のさまざまな態様の簡略化された概要を示す。この概要は、考えられるすべての態様の広範囲な概観ではなく、このような態様の重要要素や決定的要素を特定することも、範囲を線引きすることも意図されていない。この唯一の目的は、後に示されるより詳細な記載に対する前置きとして、開示された対応のいくつかの概念を、簡略化された形式で示すことである。
【０００６】
１または複数の実施形態および対応する開示によれば、さまざまな態様は、複数のアクセス・ポイント、および／または、調整されたセットにおいて関連するキャリアによって利用される制御領域を決定することを容易にすることに関連して記載される。１つの例において、制御領域のサイズ、および／または、データ領域の開始ポイントは、調整されたセット内のアクセス・ポイントまたは各キャリアについて、サービス提供基地局によって無線デバイスへシグナルされうる。別の例において、無線デバイスは、サービス提供アクセス・ポイントの制御領域、および／または、関連する初期キャリアを指定する受信されたインジケーションに少なくとも部分的に基づいて、調整されたセット内のアクセス・ポイントまたはキャリアから、共通の制御領域を判定しうる。また別の例において、データは、キャリアの類似のリソース要素にわたって、および／または、アクセス・ポイントによってマップされうる。これによって、無線デバイスは、データを備えるリソース要素に少なくとも部分的に基づいて、キャリアおよび／またはアクセス・ポイントの類似の制御領域を判定しうる。
【０００７】
態様によれば、調整されたマルチ・ポイント（ＣｏＭＰ：coordinated multiple point）通信に関連する複数のキャリアに関連する１または複数の制御領域パラメータを受信することと、１または複数の制御領域パラメータに少なくとも部分的に基づいて複数のキャリアのうちの１つによって受信された１または複数の信号のデータ部分を判定することと、を含む方法が提供される。この方法はさらに、１または複数の制御領域パラメータに少なくとも部分的に基づいて、複数のキャリアのうちの別の１つによって受信された１または複数の別の信号の別のデータ部分を判定することをも含む。
【０００８】
別の態様は、無線通信装置に関連する。この無線通信装置は、ＣｏＭＰ通信における複数のキャリアに関連する１または複数の制御領域パラメータを取得し、１または複数の制御領域パラメータに少なくとも部分的に基づいて、複数のキャリアのうちの１つによって受信された１または複数の信号のデータ部分を復号する、ように構成された少なくとも１つのプロセッサを含みうる。この少なくとも１つのプロセッサはさらに、１または複数の制御領域パラメータに少なくとも部分的に基づいて、複数のキャリアのうちの別の１つによって受信された１または複数の別の信号の別のデータ部分を復号するように構成されている。無線通信装置はまた、少なくとも１つのプロセッサに接続されたメモリをも備える。
【０００９】
また、別の態様は、装置に関連する。この装置は、ＣｏＭＰ通信における複数のキャリアに関連する１または複数の制御領域パラメータを備える制御信号を受信する手段を含む。この装置はまた、複数のキャリアのうちの１つによって受信された１または複数の信号に関連する制御領域と、１または複数の制御領域パラメータに少なくとも部分的に基づいて、複数のキャリアのうちの別の１つによって受信された１または複数の別の信号に関連する別の制御領域と、を判定する手段をも含む。
【００１０】
また別の態様は、コンピュータ・プログラム製品に関連する。このコンピュータ・プログラム製品は、少なくとも１つのコンピュータに対して、ＣｏＭＰ通信における複数のキャリアに関連する１または複数の制御領域パラメータを取得させるためのコードと、少なくとも１つのコンピュータに対して、１または複数の制御領域パラメータに少なくとも部分的に基づいて、複数のキャリアのうちの１つによって受信された１または複数の信号のデータ部分を復号させるためのコードと、を含むコンピュータ読取可能な媒体を有しうる。このコンピュータ読取可能な媒体はさらに、少なくとも１つのコンピュータに対して、１または複数の制御領域パラメータに少なくとも部分的に基づいて、複数のキャリアのうちの別の１つによって受信された１または複数の別の信号の別のデータ部分を復号させるためのコードを含みうる。
【００１１】
さらに、さらなる態様は、ＣｏＭＰ通信における複数のキャリアに関連する１または複数の制御領域パラメータを備える制御信号を取得する受信構成要素を含む装置に関連する。この装置はさらに、複数のキャリアのうちの１つによって受信された１または複数の信号に関連する制御領域と、１または複数の制御領域パラメータに少なくとも部分的に基づいて、複数のキャリアのうちの別の１つによって受信された１または複数の別の信号に関連する別のデータ領域と、を検出する制御領域判定構成要素を含みうる。
【００１２】
別の態様によれば、複数のキャリアによってＣｏＭＰ信号を通信することに関連する複数の制御領域フォーマットを受信することと、複数の制御領域フォーマットに関連する１または複数の制御領域パラメータを備える信号を生成することと、を含む方法が提供される。この方法はさらに、この信号を、制御チャネル・リソースで１または複数の無線デバイスへ送信することを含む。
【００１３】
別の態様は、無線通信装置に関連する。この無線通信装置は、複数のキャリアによってＣｏＭＰ信号を通信することに関連する複数の制御領域フォーマットを取得し、複数の制御領域フォーマットに関連する１または複数の制御領域パラメータを備える信号を生成する、ように構成された少なくとも１つのプロセッサを含みうる。この少なくとも１つのプロセッサはさらに、１または複数の無線デバイスに割り当てられた制御チャネル・リソースによって信号を送信するように構成される。無線通信装置はまた、少なくとも１つのプロセッサに接続されたメモリをも備える。
【００１４】
また、別の態様は、装置に関連する。この装置は、複数のキャリアによってＣｏＭＰ信号を通信することに関連する複数の制御領域フォーマットを受信する手段と、複数の制御領域フォーマットに関連する１または複数の制御領域パラメータを備える信号を生成する手段とを含む。この装置はまた、１または複数の無線デバイスに、制御チャネル・リソースによって信号を送信する手段をも含む。
【００１５】
また別の態様は、コンピュータ・プログラム製品に関連する。このコンピュータ・プログラム製品は、少なくとも１つのコンピュータに対して、複数のキャリアによってＣｏＭＰ信号を通信することに関連する複数の制御領域フォーマットを取得させるためのコードと、少なくとも１つのコンピュータに対して、複数の制御領域フォーマットに関連する１または複数の制御領域パラメータを備える信号を生成させるためのコードと、を含むコンピュータ読取可能な媒体を有しうる。コンピュータ読取可能な媒体はさらに、少なくとも１つのコンピュータに対して、１または複数の無線デバイスに割り当てられた制御チャネル・リソースで信号を送信させるためのコードを備えうる。
【００１６】
さらに、さらなる態様は、複数のキャリアによってＣｏＭＰ信号を通信することに関連する複数の制御領域フォーマットを取得する制御パラメータ受信構成要素と、複数の制御領域フォーマットに関連する１または複数の制御領域パラメータを備える信号を生成する制御チャネル・シグナリング構成要素と、を含む装置に関連する。この装置はさらに、１または複数の無線デバイスへ制御チャネル・リソースによって信号を通信する送信構成要素を含みうる。
【００１７】
前述した目的および関連する目的を達成するために、１または複数の実施形態は、以下に十分説明され、特に特許請求の範囲で指摘される特徴を備える。次の記載および添付図面は、１または複数の実施形態のある実例となる態様を詳細に記載する。しかしながら、これらの態様は、さまざまな実施形態の原理が適用されるさまざまな方式のうちの僅かしか示しておらず、記載された実施形態は、このようなすべての態様およびそれらの均等物を含むことが意図されている。
【図面の簡単な説明】
【００１８】
【図１】図１は、調整されたマルチ・ポイント送信を無線デバイスへ提供するシステムのブロック図である。
【図２】図２は、無線通信環境において使用する通信装置の例の例示である。
【図３】図３は、複数の送信ポイントのための制御領域パラメータを決定するための無線通信システムの例の例示である。
【図４】図４は、サービス提供アクセス・ポイントから制御領域パラメータを取得する無線通信システムの例を例示する。
【図５】図５は、データ通信のために使用されるシンボルのサブセットを示す無線通信システムの例を例示する。
【図６】図６は、複数の送信ポイントのための制御領域パラメータを受信する方法の例のフロー図である。
【図７】図７は、別のアクセス・ポイントのための別の制御領域パラメータに基づいて、ブランクのリソースを判定する方法の例のフロー図である。
【図８】図８は、１または複数の送信ポイントのための制御領域パラメータを提供する方法の例のフロー図である。
【図９】図９は、複数の送信ポイントのための制御領域パラメータを受信する装置の例のブロック図である。
【図１０】図１０は、複数の送信ポイントのための制御領域パラメータを提供する装置の例のブロック図である。
【図１１】図１１は、本明細書に記載された機能のさまざまな態様を実現するために利用されうる無線通信デバイスのブロック図の例である。
【図１２】図１２は、本明細書に記載された機能のさまざまな態様を実現するために利用されうる無線通信デバイスのブロック図の例である。
【図１３】図１３は、本明細書に記載されたさまざまな態様にしたがう無線多元接続通信システムの例を図示する。
【図１４】図１４は、本明細書に記載されたさまざまな態様が機能しうる無線通信システムの例を例示するブロック図である。
【発明を実施するための形態】
【００１９】
権利主張された主題のさまざまな態様が、全体を通じて同一要素を示すために同一の参照番号が使用される図面を参照して説明される。以下の記載では、説明の目的のために、１または複数の態様の完全な理解を提供するために、多くの具体的な詳細が述べられる。しかしながら、そのような態様は、これら具体的な詳細無しで実現されうることが明確である。他の事例では、１または複数の態様の記載を容易にするために、周知の構成およびデバイスがブロック図形式で示される。
【００２０】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、集積回路、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２１】
さらに、本明細書では、さまざまな態様が、無線端末および／または基地局に関して記載される。無線端末は、ユーザに音声および／またはデータ接続を提供するデバイスを称しうる。無線端末は、例えばラップトップ・コンピュータまたはデスクトップ・コンピュータのようなコンピュータ・デバイスに接続されるか、あるいは、例えば携帯情報端末（ＰＤＡ）のような自己完結型デバイスでありえる。無線端末はまた、システム、加入者ユニット、加入者局、移動局、モバイル、遠隔局、アクセス・ポイント、遠隔端末、アクセス端末、ユーザ端末、ユーザ・エージェント、ユーザ・デバイス、あるいはユーザ機器（ＵＥ）とも称されうる。無線端末は、加入者局、無線デバイス、セルラ電話、ＰＣＳ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、あるいは、無線モデムに接続されたその他の処理デバイスでありうる。基地局（例えば、アクセス・ポイントまたはイボルブド・ノードＢ（ｅＮＢ）またはその他のノードＢ）は、１または複数のセクタを横切って、無線端末と、エア・インタフェースによって通信するアクセス・ネットワークにおけるデバイスを称しうる。基地局は、受信したエア・インタフェース・フレームをＩＰパケットに変換することによって、インターネット・プロトコル（ＩＰ）ネットワークを含みうるアクセス・ネットワークの無線端末とその他との間のルータとして動作することができる。基地局はまた、このエア・インタフェースのための属性管理をも調整する。
【００２２】
さらに、本明細書に記載のさまざまな機能は、ハードウェア、ソフトウェア、ファームウェア、あるいはこれらの組み合わせによって実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスすることが可能なあらゆる利用可能な媒体でありうる。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）およびｂｌｕ−ｒａｙ（登録商標）ディスク（ｄｉｓｃ）（ＢＤ）を含んでいる。ここで、ｄｉｓｋは通常磁気的にデータを再生し、ｄｉｓｃは、レーザを用いてデータを光学的に再生する。上記の組み合わせもまた、コンピュータ読取可能媒体の範囲内に含まれるべきである。
【００２３】
本明細書に記載されたさまざまな技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えば発展型ＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ＣＤＭＡ２０００およびＵＭＢは、「第３世代パートナシップ計画２」（３ＧＰＰ２）からの文書に記載されている。
【００２４】
多くのデバイス、構成要素、モジュール等を含みうるシステムの観点から、さまざまな態様が示されるだろう。さまざまなシステムは、さらなるデバイス、構成要素、モジュール等を含みうるか、および／または、これら図面と関連して説明されるデバイス、構成要素、モジュール等のうちの必ずしもすべてを含まないことが理解および認識されるべきである。これらのアプローチの組み合わせもまた使用されうる。
【００２５】
図面を参照して、図１は、１または複数の送信ポイントを用いて、１または複数のデバイスへ無線ネットワーク・アクセスを提供することを容易にするシステム１００の例を例示する。システム１００は、１または複数のキャリアによって無線デバイス１０４に（図示しない）コア・ネットワークへのアクセスを提供するサービス提供アクセス・ポイント１０２を含む。１または複数の送信ポイントは、サービス提供アクセス・ポイント１０２によって無線デバイス１０４へ割り当てられた複数のキャリアに関連しうる。それに加えて、または、その代わりに、例えば、１または複数の調整されたマルチ・ポイント（ＣｏＭＰ）アクセス・ポイント１０６、１０８が、１または複数の送信ポイントとして提供されうる。何れにせよ、ＣｏＭＰ通信を提供するために、同様のデータが、複数のキャリアによって、および／または、サービス提供アクセス・ポイント１０２およびＣｏＭＰアクセス・ポイント１０８によって、無線デバイス１０４へ送信されうる。例えば、このような通信によって、増加されたデータ・レートが可能となりうる。サービス提供アクセス・ポイント１０２、およびＣｏＭＰアクセス・ポイント１０６、１０８はおのおの、例えば、マクロセル・アクセス・ポイント、フェムトセルまたはピコセルのアクセス・ポイント、ｅＮＢ、モバイル基地局、中継ノード、これらの一部等のような１または複数のネットワーク構成要素へのアクセスを提供する実質的に任意のデバイスでありうる。無線デバイス１０４は、例えば、モバイル・デバイス、ＵＥ、モデム（または、その他のテザー（tethered）デバイス）、これらの一部等のような無線ネットワークへのアクセスを受信する実質的に任意のデバイスでありうる。
【００２６】
例によれば、サービス提供アクセス・ポイント１０２およびＣｏＭＰアクセス・ポイント１０６、１０８は、無線デバイス１０４へＣｏＭＰ通信を提供するための送信を調整しうる。説明するように、例えば、サービス提供アクセス・ポイント１０２およびＣｏＭＰアクセス・ポイント１０６、１０８は、通信チャネルによって動的な制御領域を定義する（例えば、３ＧＰＰ  ＬＴＥのような）ネットワーク規格を利用しうる（例えば、フレーム内の最初のＮ個のシンボルが、制御通信のために確保される。ここで、Ｎは、０乃至３の整数である）。シンボルは、直交周波数分割多重化（ＯＦＤＭ）またはその他のシンボルとして定義されうる。一例では、これは、期間にわたる１または複数の連続または不連続の周波数部分を称しうる。フレームは、時間部分を称しうる。したがって、多くのＯＦＤＭシンボルを備えうる（例えば、３ＧＰＰ  ＬＴＥにおけるフレームは、通常のサイクリック・プレフィクスの場合、１４のＯＦＤＭシンボルを含みうる）。例えば、サービス提供アクセス・ポイント１０２およびＣｏＭＰアクセス・ポイント１０６、１０８はおのおの、制御領域を規定しうる。これは、アクセス・ポイント間で、サイズが変動しうる。それに加えて、サービス提供アクセス・ポイント１０２およびＣｏＭＰアクセス・ポイント１０６、１０８は、（ＣｏＭＰを用いて、または用いずに）その他のデバイスにサービス提供しうる。したがって、無線デバイス１０４と通信するためにサービス提供アクセス・ポイント１０２およびＣｏＭＰアクセス・ポイント１０６、１０８間で共通の制御領域を定義することは実現可能ではないことがある。
【００２７】
この点に関し、例えば、制御領域パラメータが、サービス提供アクセス・ポイント１０２およびＣｏＭＰアクセス・ポイント１０６、１０８からＣｏＭＰ送信を受信する無線デバイス１０４によって決定されうる。一例において、サービス提供アクセス・ポイント１０２は、制御チャネル通信におけるサービス提供アクセス・ポイント１０２および／またはＣｏＭＰアクセス・ポイント１０６、１０８のための（例えば、制御領域サイズや、１または複数のフレームにおけるデータ送信のための開始シンボルのインデクスのような）制御領域パラメータをシグナルしうる。無線デバイス１０４は、制御チャネル通信を取得しうる。そして、ＣｏＭＰデータ送信を適切に受信するために、サービス提供アクセス・ポイント１０２およびＣｏＭＰアクセス・ポイント１０６、１０８のおのおののためのデータの開始のインデクスを決定しうる。別の例では、サービス提供アクセス・ポイント１０２は、その制御領域サイズを（例えば、３ＧＰＰ  ＬＴＥにおいて物理制御フォーマット・インジケータ・チャネル（ＰＣＦＩＣＨ）で）ブロードキャストする。無線デバイス１０４は、制御領域サイズを（例えば、ＯＦＤＭシンボル数として）受信しうる。そして、ＣｏＭＰデータ送信を適切に受信するために、ＣｏＭＰアクセス・ポイント１０６、１０８のために同じサイズを仮定しうる。さらに別の例では、無線デバイス１０４は、（例えば、無線デバイス１０４において設定されうる）インジケータを受信することなく、サービス提供アクセス・ポイント１０２およびＣｏＭＰアクセス・ポイント１０６、１０８の間で、固定された制御領域サイズを仮定しうる。
【００２８】
さらに、別の例では、サービス提供アクセス・ポイント１０２が、サービス提供アクセス・ポイント１０２のためにブロードキャストされた制御領域サイズとは異なる、サービス提供アクセス・ポイント１０２およびＣｏＭＰアクセス・ポイント１０６、１０８のための制御領域パラメータをシグナルした場合、無線デバイス１０４は、制御領域の空の部分を判定しうる。例えば、サービス提供アクセス・ポイント１０２は、２シンボル制御領域を示すＣｏＭＰ通信のための制御領域パラメータを指定しうる。そして、サービス提供アクセス・ポイント１０２は、制御フォーマット・インジケータ・チャネルによって３シンボル制御領域をブロードキャストし、もって、サービス提供アクセス・ポイント１０２は、その制御領域の中に、追加のシンボルを有する。この例において、無線デバイス１０４は、周囲のアクセス・ポイントからの干渉を推定するために（例えば、１または複数のシンボルのような）制御領域のブランク部分を利用し、サービス提供アクセス・ポイント１０２から特別な制御シグナリングを受信する等を行いうる。また別の例では、サービス提供アクセス・ポイント１０２は、サービス提供アクセス・ポイント１０２およびＣｏＭＰアクセス・ポイント１０６、１０８によるＣｏＭＰデータ送信のために使用されるフレームで、シンボルのサブセットをシグナルしうる。したがって、無線デバイス１０４は、干渉推定を実行するために残りのシンボルを利用し、非ＣｏＭＰ送信を受信する等を行いうる。
【００２９】
説明するように、無線デバイス１０４におけるデータ・レートを高めるために、ＣｏＭＰアクセス・ポイント１０６、１０８を利用することに加えて、または、その代わりに、サービス提供アクセス・ポイント１０２（および／または、ＣｏＭＰアクセス・ポイント１０６、１０８）は、複数のキャリアによって無線デバイス１０４と通信しうる。おのおののキャリアは、個別に定義された制御領域を有しうるので、サービス提供アクセス・ポイント１０２は同様に、複数のキャリアのための制御領域パラメータを無線デバイス１０４へシグナルし、（例えば、ＰＣＦＩＣＨによって）初期キャリアのための制御領域サイズをブロードキャストする等を行いうる。同様に、この例において、無線デバイス１０４は、説明するように、複数のキャリアのための制御領域パラメータを、サービス提供アクセス・ポイント１０２から受信し、ブロードキャストされたサイズまたはその他に基づいて、すべてのキャリアにわたる制御領域サイズを仮定する等を行いうる。
【００３０】
次に図２を参照して、無線通信ネットワークに参加しうる通信装置２００が例示される。この通信装置２００は、モバイル・デバイス、アクセス・ポイント、それらの一部、あるいは、無線ネットワークにおいてＲＳを受信する実質的に任意のデバイスでありうる。通信装置２００は、１または複数のキャリアによって、１または複数のアクセス・ポイント（図示せず）から通信を取得する受信構成要素２０２と、１または複数のアクセス・ポイントおよび／または１または複数のキャリアに関連する制御領域を区別する制御領域判定構成要素２０４と、制御領域を区別した後、１または複数のキャリアによって、および／または、１または複数のアクセス・ポイントによって送信されたデータを判定するデータ処理構成要素２０６と、を含みうる。
【００３１】
例によれば、受信構成要素２０２は、（例えば、ＣｏＭＰ通信中の）１または複数のアクセス・ポイントから、および／または、１または複数のキャリアによって、信号を取得しうる。キャリアは、少なくとも、制御領域とデータ部分とを含みうる。制御領域判定構成要素２０４は、制御領域を位置決めしうる。そして、データ処理構成要素２０６は、制御領域内に存在しない信号のうちの少なくとも一部からデータを検索しうる。説明するように、制御領域は、可変数のシンボル、または、この信号に関連する時間にわたる周波数のその他の測定値を備えることができるように、動的でありうる。
【００３２】
説明するように、制御領域判定構成要素２０４は、さまざまな方式で、１または複数のアクセス・ポイントに関連する、および／または、１または複数のキャリアにわたる、制御領域パラメータを決定または仮定しうる。一例において、受信構成要素２０２は、１または複数のキャリア、および／または、ＣｏＭＰ通信における１または複数のアクセス・ポイントのための制御領域パラメータを指定する信号を、（例えば、３ＧＰＰ  ＬＴＥにおける物理ダウンリンク制御チャネル（ＰＤＣＣＨ）のような）制御チャネルで取得しうる。例えば、制御リソースのために利用される最初のシンボルの番号、データ送信のための開始シンボルのインデクス、制御リソースに関連するインデクス（例えば、開始シンボルおよび終了シンボルまたは明示的なシンボルのインデクス）等は、キャリアまたは１または複数のアクセス・ポイントのうちの少なくとも１つのために、制御チャネルを介した信号における制御領域パラメータとして指定されうる。この点に関し、制御領域判定構成要素２０４は、制御領域パラメータに基づいて、１または複数のキャリアによって、または、１または複数のアクセス・ポイントから受信した信号における制御領域を判定しうる。そして、データ処理構成要素２０６は、この信号において、制御領域以外であるデータを復号しうる。
【００３３】
別の例において、受信構成要素２０２は、制御領域フォーマットを指定する信号を、サービス提供アクセス・ポイントから取得しうる。制御領域判定構成要素２０４は、この例において、制御領域フォーマットを受信し、この制御領域フォーマットを、１または複数のアクセス・ポイントおよび／またはキャリアのために利用しうる。また別の例では、制御領域判定構成要素２０４は、固定された制御領域サイズを指定する設定パラメータを取得し、設定された制御領域サイズを、１または複数のアクセス・ポイントまたはキャリアに関連付けうる。何れの場合であれ、データ処理構成要素２０６は、信号の残りからデータを取得することを試みうる。
【００３４】
図３に示すように、複数の送信ポイントのための制御領域パラメータを決定することを容易にする無線通信システム３００が例示されている。システム３００は、例えば無線デバイス１０４のような１または複数の無線デバイスに、（図示しない）コア・ネットワークへのアクセスを提供するサービス提供アクセス・ポイント１０２を含む。さらに、サービス提供アクセス・ポイント１０２は、１または複数のキャリアによって無線デバイス１０４と通信しうる。それに加えて、ＣｏＭＰアクセス・ポイント１０６は、無線デバイス１０４へのサービス提供アクセス・ポイント１０２の通信のＣｏＭＰ送信を提供しうる。無線デバイスは、バックホール・リンクまたはその他によって、サービス提供アクセス・ポイント１０２から受信しうる。サービス提供アクセス・ポイント１０２およびＣｏＭＰアクセス・ポイント１０６は、マクロセル・アクセス・ポイント、フェムトセル・アクセス・ポイント、ピコセル・アクセス・ポイント、モバイル基地局、これらの一部、および／または、無線ネットワーク・アクセスを提供する実質的に任意のデバイスでありうる。さらに、無線デバイス１０４は、例えば、ＵＥ、モデム（または、その他のテザー・デバイス）、その一部、および／または、無線ネットワークへのアクセスを受信する実質的に任意のデバイスでありうる。
【００３５】
サービス提供アクセス・ポイント１０２は、ＣｏＭＰアクセス・ポイントから制御領域に関連する１または複数のパラメータを取得する制御パラメータ受信構成要素３０２と、サービス提供アクセス・ポイント１０２のための制御領域サイズを指定する制御領域定義構成要素３０４とを備える。サービス提供アクセス・ポイント１０２はさらに、１または複数の無線デバイスに割り当てられた制御チャネル・リソースによって送信するための１または複数の信号を生成する制御チャネル・シグナリング構成要素３０６と、無線ネットワークにおいて１または複数の信号を送信する送信構成要素３０８とを含む。
【００３６】
ＣｏＭＰアクセス・ポイント１０６は、ＣｏＭＰ通信で、サービス提供アクセス・ポイントへ、ＣｏＭＰアクセス・ポイント１０６の制御領域に関連する１または複数のパラメータを通信する制御パラメータ提供構成要素３１０と、１または複数の無線デバイスへＣｏＭＰ送信を通信する送信構成要素３１２とを備える。無線デバイス１０４は、１または複数のＣｏＭＰアクセス・ポイント、および／または、サービス提供アクセス・ポイントから通信を取得する受信構成要素２０２と、サービス提供アクセス・ポイントおよび／または１または複数のＣｏＭＰアクセス・ポイントによって使用される制御領域に関連する１または複数のパラメータを検索し、受信した信号の制御領域を、１または複数のパラメータに基づいて判定する制御領域判定構成要素２０４と、判定された制御領域に少なくとも部分的に基づいて、信号からデータを抽出するデータ処理構成要素２０６とを含む。
【００３７】
例によれば、制御パラメータ受信構成要素３０２は、ＣｏＭＰアクセス・ポイント１０６によって利用される制御領域フォーマットを決定しうる。一例において、制御パラメータ提供構成要素３１０は、（例えば、バックホール・リンクや、サービス提供アクセス・ポイント１０２への専用信号を用いて、１または複数の無線デバイス等によって）制御領域フォーマットをサービス提供アクセス・ポイント１０２へ通信しうる。制御パラメータ受信構成要素３０２が、ＣｏＭＰアクセス・ポイント１０６のための制御領域フォーマットを取得した後、制御チャネル・シグナリング構成要素３０６は、制御領域フォーマットを含む制御信号を生成しうる。例えば、制御領域フォーマットは、制御領域を備えるシンボルの、フレームの開始からの数、フレーム内におけるデータ送信のための開始シンボルのインデクス、等を指定しうる。さらに、制御チャネル・シグナリング構成要素３０６は同様に、制御信号および／または別の制御信号における他のＣｏＭＰアクセス・ポイント（図示せず）のための制御領域フォーマットを指定しうる。一例において、制御チャネル・シグナリング構成要素３０６は、（例えば、サービス提供アクセス・ポイント１０２、ＣｏＭＰアクセス・ポイント１０６、および、１または複数の追加のＣｏＭＰアクセス・ポイントのような）ＣｏＭＰ通信に参加しているすべての実質的にすべてのアクセス・ポイントに関し、単一の制御領域フォーマットを指定しうる。送信構成要素３０８は、割り当てられた制御チャネル・リソースによって無線デバイス１０４へ制御信号を送信しうる。
【００３８】
さらに、例えば、制御領域定義構成要素３０４は、サービス提供アクセス・ポイント１０２のための制御領域フォーマットを定義しうる。一例において、制御チャネル・シグナリング構成要素３０６は、サービス提供アクセス・ポイント１０２のための制御領域フォーマットを、（例えば、ＰＣＦＩＣＨによって）制御フォーマット・インジケータ信号で送信しうる。それに加えて、または、その代わりに、制御チャネル・シグナリング構成要素３０６は、制御信号で、サービス提供アクセス・ポイント１０２のための制御領域フォーマットを、ＣｏＭＰアクセス・ポイント１０６（および／または、その他のＣｏＭＰアクセス・ポイント）のための制御領域パラメータとともに送信しうる。何れにせよ、受信構成要素２０２は、サービス提供アクセス・ポイント１０２から１または複数の制御信号を取得しうる。
【００３９】
制御領域判定構成要素２０４は、説明するように、サービス提供アクセス・ポイント１０２および／またはＣｏＭＰアクセス・ポイント１０６に関連する制御領域が、制御チャネル・リソースで受信されたか、制御フォーマット・インジケータ・チャネル・リソースで受信されたか、設定値であるか等を区別しうる。例えば、制御領域判定構成要素２０４は、制御信号に少なくとも部分的に基づいて、ＣｏＭＰアクセス・ポイント１０６の制御領域フォーマットを取得しうる。これは、制御領域を備えるフレーム開始時におけるシンボルの番号を指定しうる。それに加えて、制御領域判定構成要素２０４は、サービス提供アクセス・ポイント１０２から受信した、同じ制御信号から、別の制御信号から、（例えば、ＰＣＦＩＣＨによって送信された）制御フォーマット・インジケータ信号等から、サービス提供アクセス・ポイント１０２のための制御領域フォーマットを決定しうる。
【００４０】
送信構成要素３０８は、その後、無線デバイス１０４へ信号を送信しうる。受信構成要素２０２は、この信号を取得しうる。そして、制御領域判定構成要素２０４は、サービス提供アクセス・ポイント１０２のために受信された制御領域フォーマットに少なくとも部分的に基づいて、この信号における制御領域を検出しうる。データ処理構成要素２０６は、この信号の残りの部分からのデータを解釈しうる。同様に、ＣｏＭＰアクセス・ポイント１０６は、その後、無線デバイスに同じ信号を送信しうる。受信構成要素２０２は、この信号を取得しうる。制御領域判定構成要素２０４は、ＣｏＭＰアクセス・ポイント１０６のために決定された、または、受信された制御領域フォーマットに少なくとも部分的に基づいて、信号における制御領域を区別しうる。そして、データ処理構成要素は、ＣｏＭＰアクセス・ポイント１０６からの信号の残りの部分からの同様のデータを解釈しうる。
【００４１】
この点に関し、ＣｏＭＰ送信のために、例えば、サービス提供アクセス・ポイント１０２は、３シンボル制御領域を利用し、ＣｏＭＰアクセス・ポイント１０６は、２シンボル制御領域を利用しうる。したがって、制御チャネル・シグナリング構成要素３０６は、説明するように、この情報を無線デバイス１０４へ提供し、制御領域判定構成要素２０４は、例えば、シンボル０乃至３から、および、ＣｏＭＰアクセス・ポイント１０６の場合にはシンボル０乃至２から、サービス提供アクセス・ポイント１０２からの信号の制御領域を検出する。したがって、データ処理構成要素２０６は、４番目のシンボルで始まって、および、ＣｏＭＰアクセス・ポイント１０６からの信号の場合、３番目のシンボルから始まって、サービス提供アクセス・ポイント１０２から受信した信号からのデータを復号しうる。
【００４２】
別の例において、サービス提供アクセス・ポイント１０２は、ＣｏＭＰアクセス・ポイントのための制御領域フォーマットを送信しない。この例では、制御領域定義構成要素３０４は、サービス提供アクセス・ポイント１０２のための制御領域を決定する。そして、制御チャネル・シグナリング構成要素３０６は、サービス提供アクセス・ポイント１０２のための制御領域フォーマットを含む制御フォーマット・インジケータ信号を生成する。送信構成要素３０８は、ＰＣＦＩＣＨまたは類似のチャネルによって、無線デバイス１０４へ制御フォーマット・インジケータ信号を通信しうる。受信構成要素２０２は、制御フォーマット・インジケータ信号を（例えば、ＰＣＦＩＣＨリソースによって）受信しうる。そして、制御領域判定構成要素２０４は、制御領域フォーマットを、ＣｏＭＰアクセス・ポイント１０６（および／または、その他のＣｏＭＰアクセス・ポイント）と同様に、サービス提供アクセス・ポイント１０２に関連付けうる。
【００４３】
同様の例において、制御領域判定構成要素２０４は、サービス提供アクセス・ポイント１０２およびＣｏＭＰアクセス・ポイント１０６のために設定された制御領域フォーマットを決定しうる。設定された制御領域フォーマットは、ハードコーディング、ネットワーク仕様、設定等から決定されうる。何れの場合も、説明するように、制御領域フォーマットは、制御領域を備えるフレームの開始からのシンボルの数、フレーム内のデータ通信の開始に関連するシンボルのインデクス、制御領域の開始シンボルおよび終了シンボル、制御領域を定義するフレーム内の明示的なシンボル、等に関連しうる。何れにせよ、送信構成要素３０８および送信構成要素３１２は、説明するように、無線デバイス１０４へ信号を通信しうる。受信構成要素２０２は、これら信号を取得しうる。そして、制御領域判定構成要素２０４は、説明するように、受信または決定された制御領域フォーマットに基づいて、信号における制御領域を検出しうる。データ処理構成要素２０６は、説明するように、制御領域内に無いシンボルの残りの部分におけるデータを解釈しうる。
【００４４】
さらに、例えば、ＣｏＭＰ通信における複数の送信ポイントに関して記載されているが、前述した説明は、サービス提供アクセス・ポイント１０２によって無線デバイス１０４へ割り当てられた複数のキャリアの制御領域を判定するために適用されうる。例えば、制御領域定義構成要素３０４は、サービス提供アクセス・ポイント１０２と無線デバイス１０４との間のおのおののキャリアの制御領域フォーマットを指定しうる。制御チャネル・シグナリング構成要素３０６は、制御領域フォーマットを含む制御信号を生成しうる。そして、送信構成要素３０８は、（例えばＰＤＣＣＨによって）無線デバイスに制御信号を送信しうる。制御領域判定構成要素２０４は、制御信号に基づいて、複数のキャリアのための制御領域フォーマットを区別しうる。同様に、例えば、制御領域判定構成要素２０４は、説明するように、サービス提供アクセス・ポイント１０２から受信した制御フォーマット・インジケータ信号に関連するすべてのキャリアについて同様のフォーマットを仮定しうるか、および／または、設定された制御領域フォーマットを利用しうる。
【００４５】
図４に移って、ＣｏＭＰ通信のための制御領域フォーマットを示すことと、結果として得られるブランクのシンボルを利用することと、を容易にする無線通信システム４００が例示される。システム４００は、例えば無線デバイス１０４のような１または複数の無線デバイスに、（図示しない）コア・ネットワークへのアクセスを提供するサービス提供アクセス・ポイント１０２を含む。さらに、サービス提供アクセス・ポイント１０２は、１または複数のキャリアによって、無線デバイス１０４と通信しうる。それに加えて、ＣｏＭＰアクセス・ポイント１０６は、無線デバイス１０４へのサービス提供アクセス・ポイント１０２の通信のＣｏＭＰ送信を提供しうる。無線デバイスは、バックホール・リンクまたはその他によって、サービス提供アクセス・ポイント１０２から受信しうる。サービス提供アクセス・ポイント１０２およびＣｏＭＰアクセス・ポイント１０６は、マクロセル・アクセス・ポイント、フェムトセル・アクセス・ポイント、ピコセル・アクセス・ポイント、モバイル基地局、それらの一部、および／または、無線ネットワーク・アクセスを提供する実質的に任意のデバイスでありうる。さらに、無線デバイス１０４は、例えば、ＵＥ、モデム（またはその他のテザー・デバイス）、その一部、および／または、無線ネットワークへのアクセスを受信する実質的に任意のデバイスでありうる。
【００４６】
サービス提供アクセス・ポイント１０２は、制御フォーマット・インジケータ信号を生成する制御フォーマット・シグナリング構成要素４０２と、ＣｏＭＰアクセス・ポイントから制御領域に関連する１または複数のパラメータを取得する制御パラメータ受信構成要素３０２と、サービス提供アクセス・ポイント１０２のための制御領域サイズを指定する制御領域定義構成要素３０４とを備える。サービス提供アクセス・ポイント１０２はまた、１または複数の無線デバイスに割り当てられた制御チャネル・リソースで送信するために、１または複数の信号を生成する制御チャネル・シグナリング構成要素３０６と、無線ネットワークにおいて１または複数の信号を通信する送信構成要素３０８と、サービス提供アクセス・ポイント１０２と１または複数のＣｏＭＰアクセス・ポイントとの間における制御領域における相違に少なくとも部分的に基づいて、フレーム内の１または複数のブランクのシンボルを区別しうるブランク・リソース判定構成要素４０４とを含む。
【００４７】
ＣｏＭＰアクセス・ポイント１０６は、ＣｏＭＰアクセス・ポイント１０６の制御領域に関連する１または複数のパラメータを、ＣｏＭＰ通信におけるサービス提供アクセス・ポイントへ通信する制御パラメータ提供構成要素３１０と、ＣｏＭＰ送信を１または複数の無線デバイスへ通信する送信構成要素３１２とを備える。無線デバイス１０４は、制御領域フォーマットを、制御フォーマット・インジケータ信号と区別する制御フォーマット決定構成要素４０６と、１または複数のＣｏＭＰアクセス・ポイント、および／または、サービス提供アクセス・ポイントから通信を取得する受信構成要素２０２とを含む。無線デバイス１０４はさらに、１または複数のＣｏＭＰアクセス・ポイント、および／または、サービス提供アクセス・ポイントによって使用される制御領域に関連する１または複数のパラメータを検索する制御領域判定構成要素２０４と、判定された制御領域に少なくとも部分的に基づいて、信号からのデータを復号するデータ処理構成要素２０６と、ブランク・シンボル・リソース中、１または複数の近隣アクセス・ポイントからの干渉可能性を判定する干渉測定構成要素４０８とを備える。
【００４８】
例によれば、説明するように、制御領域定義構成要素３０４は、サービス提供アクセス・ポイント１０２に関連する制御領域フォーマットを指定しうる。制御フォーマット・シグナリング構成要素４０２は、説明するように、ＰＣＦＩＣＨによる送信のために、制御フォーマット・インジケータ信号を生成しうる。そして、送信構成要素３０８は、ＰＣＦＩＣＨによって信号を送信しうる。それに加えて、制御パラメータ提供構成要素３１０は、（例えば、バックホール・リンクや、サービス提供アクセス・ポイント１０２への専用信号を用いて、１または複数の無線デバイス等によって）ＣｏＭＰアクセス・ポイント１０６の制御領域フォーマットを、サービス提供アクセス・ポイント１０２へ通信しうる。制御パラメータ受信構成要素３０２が、ＣｏＭＰアクセス・ポイント１０６の制御領域フォーマットを取得した後、制御チャネル・シグナリング構成要素３０６は、制御領域フォーマットを含む制御信号を生成しうる。それに加えて、制御チャネル・シグナリング構成要素３０６は、同様に、制御信号および／または別の制御信号で、（図示しない）他のＣｏＭＰアクセス・ポイントのための制御領域フォーマットを指定しうる。送信構成要素３０８は、（例えば、ＰＤＣＣＨのような）割り当てられた制御チャネル・リソースによって、無線デバイス１０４へと制御信号を送信しうる。
【００４９】
説明するように、受信構成要素２０２は、サービス提供アクセス・ポイント１０２から１または複数の制御信号を取得しうる。一例において、制御フォーマット決定構成要素４０６は、制御フォーマット・インジケータ信号に少なくとも部分的に基づいて、サービス提供基地局１０２の制御領域フォーマットを区別しうる。それに加えて、制御領域判定構成要素２０４は、上述したように、ＣｏＭＰアクセス・ポイント１０６（および、１または複数のその他のＣｏＭＰアクセス・ポイント）に関連する制御領域を区別しうる。送信構成要素３０８は、その後、無線デバイス１０４へ信号を送信しうる。受信構成要素２０２はこれら信号を取得し、制御領域判定構成要素２０４は、受信した制御領域フォーマットに少なくとも部分的に基づいて、サービス提供アクセス・ポイント１０２のために、この信号における制御領域を検出しうる。データ処理構成要素２０６は、この信号の残りの部分からのデータを解釈しうる。同様に、ＣｏＭＰアクセス・ポイント１０６は、実質的に同じ信号を無線デバイス１０４に送信しうる。受信構成要素２０２は、この信号を取得し、制御領域判定構成要素２０４は、受信した制御領域フォーマットに少なくとも部分的に基づいて、ＣｏＭＰアクセス・ポイント１０６のために、この信号における制御領域を区別しうる。そして、データ処理構成要素２０６は、この信号の残りの部分からの類似のデータを解釈しうる。
【００５０】
例えば、説明するように、制御チャネル・シグナリング構成要素３０６は、（例えば、サービス提供アクセス・ポイント１０２、ＣｏＭＰアクセス・ポイント１０６、および、１または複数の追加のＣｏＭＰアクセス・ポイントのような）ＣｏＭＰ通信に参加する実質的にすべてのアクセス・ポイントに関連する単一の制御領域フォーマットを指定しうる。サービス提供アクセス・ポイント１０２に関連する制御フォーマット・インジケータ信号と、ＣｏＭＰ通信のために指定された制御領域フォーマットとが異なる場合、サービス提供アクセス・ポイント１０２において、１または複数のブランクのシンボルが存在しうる。例えば、サービス提供アクセス・ポイントが、３シンボルの制御領域を指定し、ＣｏＭＰ通信のための制御領域フォーマットが、２シンボルを指定する場合、サービス提供アクセス・ポイント１０２によって利用される追加のシンボルが存在する。しかしながら、これは、ＣｏＭＰ通信のためには使用されない。このブランクのシンボルは、さまざまな目的のために利用されうる。
【００５１】
一例において、ブランク・リソース判定構成要素４０４は、制御領域定義構成要素３０４によって生成された制御領域フォーマットと、制御パラメータ受信構成要素３０２によって受信されたものとを比較することによって、ブランク・シンボルを検出しうる。制御領域定義構成要素３０４が、より大きな制御領域を指定する場合、制御パラメータ受信構成要素３０２によって受信されない残りの部分は、非ＣｏＭＰ通信を用いて無線デバイス１０４へデータを送信するために利用されうる。一例において、この残りの部分は、本明細書でさらに説明するように、ＣｏＭＰ通信のために利用されるシンボルのサブセットをシグナルするために利用されうる。別の例では、干渉測定構成要素４０８は、制御フォーマット決定構成要素４０６によって検出されたサービス提供アクセス・ポイント１０２の制御領域フォーマットを、制御領域判定構成要素２０４によって検出されたようなＣｏＭＰアクセス・ポイント１０６のものと比較することに少なくとも部分的に基づいて、ブランクのシンボルを判定しうる。繰り返すが、干渉測定構成要素４０８は、サービス提供アクセス・ポイント１０２のためにより多くの制御領域リソースを判定する場合、例えば、１または複数の近隣アクセス・ポイントからの干渉を検出するために、または、その他の測定を実行するために、追加のリソースを利用しうる。
【００５２】
図５に示すように、ＣｏＭＰ通信に関連するリソース部分を示すことを容易にする無線通信システム５００が例示されている。システム５００は、例えば無線デバイス１０４のような１または複数の無線デバイスに、（図示しない）コア・ネットワークへのアクセスを提供するサービス提供アクセス・ポイントを含む。さらに、サービス提供アクセス・ポイント１０２は、１または複数のキャリアによって無線デバイス１０４と通信しうる。それに加えて、ＣｏＭＰアクセス・ポイント１０６は、無線デバイス１０４へサービス提供アクセス・ポイント１０２の通信のＣｏＭＰ送信を提供しうる。無線デバイスは、バックホール・リンクまたはその他によって、サービス提供アクセス・ポイント１０２から受信しうる。サービス提供アクセス・ポイント１０２およびＣｏＭＰアクセス・ポイント１０６は、マクロセル・アクセス・ポイント、フェムトセル・アクセス・ポイント、ピコセル・アクセス・ポイント、モバイル基地局、それらの一部、および／または、無線ネットワーク・アクセスを提供する実質的に任意のデバイスでありうる。さらに、無線デバイス１０４は、例えば、ＵＥ、モデム（または、その他のテザー・デバイス）、その一部、および／または、無線ネットワークへのアクセスを受信する実質的に任意のデバイスでありうる。
【００５３】
サービス提供アクセス・ポイント１０２は、ＣｏＭＰ通信を送信するために利用される、フレーム内のシンボルのサブセットを示す、ＣｏＭＰサブセット指定構成要素５０２と、無線ネットワークにおいて、１または複数の信号を通信する送信構成要素３０８とを備える。ＣｏＭＰアクセス・ポイント１０６は、ＣｏＭＰ送信を、１または複数の無線デバイスへ通信する送信構成要素３１２を備える。無線デバイス１０４は、ＣｏＭＰ通信のために利用されるシンボルのサブセットを示すインジケーションを受信するＣｏＭＰサブセット判定構成要素５０４と、１または複数のＣｏＭＰアクセス・ポイント、および／または、サービス提供アクセス・ポイントから通信を取得する受信構成要素２０２と、受信された通信におけるシンボルのサブセットから、データを判定するデータ処理構成要素２０６とを含む。
【００５４】
例によれば、ＣｏＭＰサブセット指定構成要素５０２は、ＣｏＭＰ信号を送信するための、通信フレームにおけるシンボルのサブセットを決定しうる。一例では、ＣｏＭＰサブセット指定構成要素５０２は、設定、ハードコーディング、ネットワーク仕様等から、あるいは、利用可能なリソース、無線デバイス１０４においてレポートされた信号対雑音比（ＳＮＲ）、サービス提供アクセス・ポイント１０２および／またはＣｏＭＰアクセス・ポイント１０６の識別子等に少なくとも部分的に基づいて動的に、シンボルのサブセットを判定しうる。ＣｏＭＰサブセット指定構成要素５０２は、無線デバイス１０４に、シンボルのサブセットを示すインジケーションを提供しうる。ＣｏＭＰサブセット判定構成要素５０４は、１または複数のＣｏＭＰ信号におけるデータの次の判定のためのインジケーションを、サービス提供アクセス・ポイント１０２から取得しうる。
【００５５】
したがって、送信構成要素３０８は、送信構成要素３１２が行うように、無線デバイス１０４へＣｏＭＰ通信信号を送信しうる。受信構成要素２０２は、サービス提供アクセス・ポイント１０２およびＣｏＭＰアクセス・ポイント１０６からそれぞれ信号を取得しうる。データ処理構成要素２０６は、おのおののフレーム内で、ＣｏＭＰサブセットの一部であるシンボルにおいて始まる信号からデータを抽出しうる。
【００５６】
図６−８に示すように、本明細書に記載されたさまざまな態様にしたがって実行されうるさまざまな方法がここで例示される。説明の単純化の目的のために、これら方法は、一連の動作として図示および説明されているが、これら方法は、これら動作の順序によって限定されず、いくつかの動作は、１または複数の態様にしたがって、別の順序で、および／または、本明細書で図示および記載されたものとは別の動作と同時に引き起こることが理解および認識されるべきである。例えば、当業者であれば、これら方法はその代わりに、例えば状態図におけるように、一連の相互関連する状態またはイベントとして表されうることを理解し認識するだろう。さらに、１または複数の態様にしたがって方法を実現するために、必ずしも例示された全ての動作が必要とされる訳ではない。
【００５７】
図６に移って、受信した制御領域パラメータに少なくとも部分的に基づいて、受信した信号のデータ部分を判定することを容易にする方法６００が例示される。６０２において、ＣｏＭＰ通信に関連する複数のキャリアに関する、１または複数の制御領域パラメータが受信されうる。説明されるように、例において、複数のキャリアはおのおの、ＣｏＭＰ通信を提供するアクセス・ポイントに対応しうる。それに加えて、１または複数の制御領域パラメータは、説明するように、通信フレームにおいて始まる制御領域のサイズ（例えば、シンボルの数）、フレーム内の開始データ・シンボルのインデクス、等を含みうる。さらに、制御領域パラメータは、ＣｏＭＰ通信における単一のアクセス・ポイントまたはキャリア、および／または、複数のアクセス・ポイントまたはキャリアに関連しうる。一例では、制御領域パラメータは、制御チャネル・リソースで受信され、複数のキャリア（および／または対応するアクセス・ポイント）のおのおのに関連しうる。別の例では、制御領域パラメータが、サービス提供アクセス・ポイントに関連しうる制御フォーマット・インジケータ・チャネルで受信されうる。さらに、例えば、制御領域パラメータは、説明するように、設定された値でありうる。
【００５８】
６０４では、１または複数の制御領域パラメータに基づいて、複数のキャリアのうちの１つによって受信された１または複数の信号のデータ部分が判定されうる。例えば、制御領域パラメータがおのおののキャリアに関連する場合、データ部分は、そのキャリア（または対応するアクセス・ポイント）のための制御領域パラメータ（単数または複数）に基づいて判定されうる。制御領域パラメータが、サービス提供アクセス・ポイントに関連する場合、データ部分は、制御領域パラメータが関連するキャリア（またはアクセス・ポイント）に関わらず、制御領域パラメータに基づいて判定されうる。それに加えて、例えば、制御領域パラメータが、設定された値である場合、データ部分は、この値に基づいて判定されうる。同様に、６０６では、複数のキャリアのうちの別のキャリアで受信された１または複数の別の信号の別のデータ部分が、１または複数の制御領域パラメータに基づいて判定されうる。
【００５９】
図７を参照して、異なる制御領域パラメータを受信することに基づいて、ブランクのリソースを判定する方法７００の例が例示される。７０２では、キャリアに関連する制御領域パラメータが、制御フォーマット・インジケータ・チャネルによって受信されうる。説明するように、例えば、この制御領域パラメータは、サービス提供アクセス・ポイントに関連しうる。７０４では、１または複数の別のキャリアに関連する１または複数の別の制御領域パラメータが、制御チャネルによって受信されうる。説明するように、例えば、１または複数の別の制御領域パラメータが、さまざまなＣｏＭＰアクセス・ポイントからの制御領域に対応しうる。７０６では、制御領域パラメータによって示され、１または複数の別の制御領域パラメータに存在しないリソースに基づいて、制御領域において、ブランクのリソースが判定されうる。したがって、例えば、制御領域パラメータが、余分なリソースに関連する場合、これらのリソースは、ＣｏＭＰ通信において使用されないので、ブランクでありうる。ブランクのリソースは、干渉を測定し、サービス提供アクセス・ポイント、または、１または複数の別のアクセス・ポイント等から他のデータを受信するために利用されることが認識されるべきである。
【００６０】
図８に移って、１または複数のアクセス・ポイントのために制御領域パラメータを提供することを容易にする方法８００の例が例示される。８０２では、複数のキャリアによってＣｏＭＰ信号を通信することに関連する複数の制御領域フォーマットが受信されうる。説明するように、複数のキャリアはおのおの、アクセス・ポイントに関連しうる。さらに、制御領域フォーマットは、説明するように、複数のキャリアの制御領域を備えるシンボルの番号、開始データ・シンボルのインデクス等を指定しうる。８０４では、複数の制御領域フォーマットに関連する１または複数の制御領域パラメータを備える信号が生成されうる。８０６では、この信号が、制御チャネル・リソースによって、１または複数の無線デバイスへ送信されうる。したがって、説明するように、１または複数の無線デバイスは、受信した信号の制御領域およびデータ領域を判定するために、制御領域パラメータを利用しうる。
【００６１】
本明細書で説明された１または複数の態様によれば、推論は、制御領域パラメータを決定すること、制御領域またはデータ領域を判定するために制御領域パラメータを利用すること等に関してなされうる。本明細書で使用されるように、「推論する」または「推論」なる用語は一般に、イベントおよび／またはデータによって取得されたような観察のセットから、システム、環境、および／または、ユーザの状態の推論あるいはそれらに関連する推理のプロセスを称する。推論は、特定のコンテキストまたは動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００６２】
図９を用いて、受信した制御領域パラメータに少なくとも部分的に基づいて、信号の制御領域を判定することを容易にするシステム９００が例示されている。例えば、システム９００は、基地局、モバイル・デバイス、または、無線ネットワークにアクセスを提供するその他のデバイス内に少なくとも部分的に存在しうる。システム９００は、プロセッサ、ソフトウェア、またはそれらの組み合わせ（例えば、ファームウェア）によって実現される機能を表す機能ブロックでありうる機能ブロックを含むものとして示されることが認識されるべきである。システム９００は、連携して動作しうる電子構成要素の論理グループ９０２を含む。例えば、論理グループ９０２は、ＣｏＭＰ通信における複数のキャリアに関連する１または複数の制御領域パラメータを備える制御信号を受信するための電子構成要素９０４を含みうる。説明するように、複数のキャリアはおのおの、アクセス・ポイントに関連しうる。さらに、例えば、電子構成要素９０４は、制御チャネル、制御フォーマット・インジケータ・チャネル、設定された値等によって、１または複数の制御領域パラメータを受信しうる。それに加えて、１または複数の制御領域パラメータは、サービス提供アクセス・ポイント、１または複数のＣｏＭＰアクセス・ポイント等の制御領域フォーマットに関連しうる。そして、説明するように、通信フレーム内のシンボルの数、データ通信のための開始シンボルのシンボル・インデクス等に関連する制御領域のサイズを含みうる。
【００６３】
さらに、論理グループ９０２は、１または複数の制御領域パラメータに少なくとも部分的に基づいて、複数のキャリアのうちの１つによって受信された１または複数の信号に関連する制御領域と、複数のキャリアのうちの別の１つによって受信された１または複数の別の信号に関連する別の制御領域とを判定する電子構成要素９０６を備えうる。この点に関し、説明するように、１または複数の制御領域パラメータは、複数のキャリアのために共有されうるか、または、個々のキャリアおのおのに関連しうる。さらに、論理グループ９０２は、１または複数の制御領域パラメータによって示された別の制御領域から除外され、別の制御領域パラメータによって示された制御領域部分に少なくとも部分的に基づいて、ブランクのリソース部分を判定する電子構成要素９０８を含みうる。説明するように、サービス提供アクセス・ポイントは、他のＣｏＭＰアクセス・ポイントについてよりも、自身についてより大きな制御領域を示しうる。この点に関し、電子構成要素９０８は、制御領域における相違から、ブランクのリソースを判定しうる。さらに、論理グループ９０２は、制御領域外の１または複数の信号部分から、または、別の制御領域外の１または複数の別の信号の別の部分からのデータを復号するための電子構成要素９１０を含む。さらに、システム９００は、電子構成要素９０４、９０６、９０８、９１０に関連付けられた機能を実行するための命令群を保持するメモリ９１２を含みうる。メモリ９１２の外側にあるとして示されているが、電子構成要素９０４、９０６、９０８、９１０のうちの１または複数は、メモリ９１２内に存在しうることが理解されるべきである。
【００６４】
図１０を参照して、１または複数のアクセス・ポイントのための制御領域パラメータを示すシステム１０００が例示される。例えば、システム１０００は、基地局、モバイル・デバイス、または、無線ネットワークにアクセスを提供する他のデバイス内に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、複数のキャリアによってＣｏＭＰ信号を通信することに関連する複数の制御領域フォーマットを受信するための電子構成要素１００４を含みうる。説明するように、複数のキャリアはおのおの、アクセス・ポイントに関連しうる。さらに、説明するように、制御領域フォーマットは、制御領域サイズ、開始データ・シンボルのインデクス等を指定しうる。さらに、論理グループ１００２は、複数の制御チャネル・フォーマットに関連する１または複数の制御領域パラメータを備える信号を生成するための電子構成要素１００６を備えうる。さらに、論理グループ１００２は、この信号を、制御チャネル・リソースで１または複数の無線デバイスへ送信するための電子構成要素１００８を含みうる。
【００６５】
この点に関し、１または複数の無線デバイスは、システム１０００および／または１または複数のＣｏＭＰアクセス・ポイントからその後受信された信号の制御領域を判定しうる。そして、この信号におけるデータを解釈するために、この制御領域判定を利用しうる。さらに、論理グループ１００２は、制御フォーマット・インジケータ信号における１または複数の別の制御領域パラメータを示すための電子構成要素１０１０を含む。説明するように、例えば、電子構成要素１００６によって生成された１または複数の制御領域パラメータが、複数のキャリアまたはＣｏＭＰアクセス・ポイントに関連しうる一方、別の制御領域パラメータは、システム１０００（例えば、サービス提供アクセス・ポイント）に明らかに関連しうる。それに加えて、論理グループ１００２は、複数の制御領域フォーマットから除外された１または複数の別の制御領域パラメータに関連するリソース部分に少なくとも部分的に基づいて、１または複数のブランクのリソースを判定するための電子構成要素を含む。したがって、システム１０００の制御領域と、１または複数のＣｏＭＰアクセス・ポイントの制御領域との間に不均衡がある場合、結果として得られるブランクのリソースが識別され、例えば、特別な制御データを送信するために利用されうる。さらに、システム１０００は、電子構成要素１００４、１００６、１００８、１０１０、１０１２に関連付けられた機能を実行するための命令群を保持するメモリ１０１４を含みうる。メモリ１０１４の外側にあるとして示されているが、電子構成要素１００４、１００６、１００８、１０１０、１０１２のうちの１または複数は、メモリ１０１４内に存在しうることが理解されるべきである。
【００６６】
図１１は、本明細書に記載された機能のさまざまな態様を実現するために利用されうるシステム１１００のブロック図である。１つの例において、システム１１００は、基地局またはノードＢ１１０２を含みうる。例示するように、ノードＢ１１０２は、１または複数の受信（Ｒｘ）アンテナ１１０６によって１または複数のＵＥ１１０４から信号（単数または複数）を受信し、１または複数の送信（Ｔｘ）アンテナ１１０８によって１または複数のＵＥ（単数または複数）１１０４へ送信しうる。さらに、ノードＢ１１０２は、受信アンテナ（単数または複数）１１０６から情報を受け取る受信機１１１０を備えうる。一例において、受信機１１１０は、受信した情報を復調する復調器（Ｄｅｍｏｄ）１１１２と動作可能に関連付けられうる。その後、復調されたシンボルは、プロセッサ１１１４によって分析されうる。プロセッサ１１１４は、符号クラスタ、アクセス端末割当、これらに関連するルックアップ・テーブル、ユニークなスクランブリング・シーケンスに関連する情報、および／または、その他の適切なタイプの情報を格納しうるメモリ１１１６に接続されうる。１つの例において、ノードＢ１１０２は、方法６００、７００、８００、および／または、その他の類似または適切な方法を実行するためにプロセッサ１１１４を適用しうる。ノードＢ１１０２はまた、送信機１１２０による送信アンテナ（単数または複数）１１０８を介した送信のための信号を多重化する変調器１１１８を含みうる。
【００６７】
図１２は、本明細書に記載された機能のさまざまな態様を実現するために利用されうる別のシステム１２００のブロック図である。一例において、システム１２００は、モバイル端末１２０２を含んでいる。例示されるように、モバイル端末１２０２は、１または複数の基地局１２０４から信号を受信し、１または複数のアンテナ１２０８によって１または複数の基地局１２０４へと送信しうる。それに加えて、モバイル端末１２０２は、アンテナ（単数または複数）１２０８から情報を受信する受信機１２１０を備えうる。一例において、受信機１２１０は、受信した情報を復調する復調器（Ｄｅｍｏｄ）１２１２と動作可能に関連付けられうる。その後、復調されたシンボルは、プロセッサ１２１４によって分析されうる。プロセッサ１２１４は、モバイル端末１２０２に関連するプログラム・コードおよび／またはデータを格納しうるメモリ１２１６へ接続されうる。それに加えて、モバイル端末１２０２は、方法６００、７００、８００、および／またはその他の類似および適切な技術を実行するプロセッサ１２１４を適用しうる。モバイル端末１２０２はまた、説明した機能を有効にするために、前述した図で説明された１または複数の構成要素を適用しうる。一例では、構成要素は、プロセッサ１２１４によって実現されうる。モバイル端末１２０２はまた、アンテナ１２０８を介した送信機１２２０による送信のために、信号を多重化する変調器１２１８を含みうる。
【００６８】
図１３を参照して、無線多元接続通信システムの例示が、さまざまな態様にしたがって提供される。一例において、アクセス・ポイント１３００（ＡＰ）は、複数のアンテナ・グループを含んでいる。図１３に例示されるように、１つのアンテナ・グループは、アンテナ１３０４およびアンテナ１３０６を含むことができ、別のグループはアンテナ１３０８およびアンテナ１３１０を備えることができ、さらに別のグループはアンテナ１３１２およびアンテナ１３１４を含むことができる。図１３ではおのおののアンテナ・グループについて２つのアンテナしか例示されていないが、おのおののグループについて、それよりも多いか、あるいはそれよりも少ないアンテナが適用されうることが認識されるべきである。別の例において、アクセス端末１３１６は、アンテナ１３１２、１３１４と通信しうる。ここで、アンテナ１３１２、１３１４は、順方向リンク１３２０によってアクセス端末１３１６へ情報を送信し、逆方向リンク１３１８によってアクセス端末１３１６から情報を受信しうる。それに加えて、および／または、その代わりに、アクセス端末１３２２は、アンテナ１３０６、１３０８と通信しうる。ここで、アンテナ１３０６、１３０８は、順方向リンク１３２６によってアクセス端末１３２２へ情報を送信し、逆方向リンク１３２４によってアクセス端末１３２２から情報を受信しうる。周波数分割デュプレクス・システムでは、通信リンク１３１８、１３２０、１３２４、１３２６は、通信のために、異なる周波数を利用しうる。例えば、順方向リンク１３２０は、逆方向リンク１３１８によって使用されるものとは異なる周波数を使用しうる。
【００６９】
通信するように指定された領域および／またはアンテナのおのおののグループは、アクセス・ポイントのセクタと称されうる。１つの態様によれば、アクセス・ポイント１３００によってカバーされる領域のセクタ内のアクセス端末へ通信するために、複数のグループが設計されうる。順方向リンク１３２０および順方向リンク１３２６による通信では、アクセス・ポイント１３００の送信アンテナは、別々のアクセス端末１３１６、１３２２のための順方向リンクの信号対雑音比を向上するために、ビームフォーミングを適用しうる。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００７０】
例えばアクセス・ポイント１３００のようなアクセス・ポイントは、端末と通信するために使用される固定局であり、基地局、ノードＢ、アクセス・ネットワーク、および／またはその他の適切な用語でも称されうる。さらに、例えばアクセス端末１３１６またはアクセス端末１３２２のようなアクセス端末はまた、モバイル端末、ユーザ機器、無線通信デバイス、端末、無線端末、および／または、その他の適切な専門用語で称されうる。
【００７１】
図１４に示すように、本明細書に記載のさまざまな態様が機能しうる無線通信システム１４００の例が提供される。一例において、システム１４００は、送信機システム１４１０および受信機システム１４５０を含む複数入力複数出力（ＭＩＭＯ）システムである。しかしながら、送信機システム１４１０および／または受信機システム１４５０は、複数入力単数出力システムに適用することが可能であり、例えば、（例えば、基地局上の）複数の送信アンテナが、１または複数のシンボル・ストリームを、単一のアンテナ・デバイス（例えば、モバイル局）へ送信しうることが認識されるべきである。さらに、本明細書に記載された送信機システム１４１０および／または受信機システム１４５０の態様は、単一入力単一出力アンテナ・システムとの接続に利用されうることが認識されるべきである。
【００７２】
１つの態様によれば、多くのデータ・ストリームのトラフィック・データが、送信機システム１４１０において、データ・ソース１４１２から送信（ＴＸ）データ・プロセッサ１４１４へ提供される。一例において、その後、おのおののデータ・ストリームが、それぞれの送信アンテナ１４２４を介して送信されうる。それに加えて、ＴＸデータ・プロセッサ１４１４は、符号化されたデータを提供するために、トラフィック・データをフォーマットし、このデータ・ストリームのために選択された特定の符合化スキームに基づいて符号化し、インタリーブする。一例において、おのおののデータ・ストリームの符号化されたデータは、ＯＦＤＭ技術を用いてパイロット・データと多重化されうる。パイロット・データは一例として、既知の方法で処理される既知のデータ・パターンである。さらに、チャネル応答を推定するために、パイロット・データが、受信機システム１４５０において使用されうる。送信機システム１４１０に戻り、おのおののデータ・ストリームについて多重化されたパイロットおよび符合化されたデータは、変調シンボルを提供するために、おのおののデータ・ストリームについて選択された特定の変調スキーム（例えば、ＢＰＳＫ、ＱＰＳＫ、Ｍ−ＰＳＫ、またはＭ−ＱＡＭ）に基づいて変調（例えば、シンボル・マップ）されうる。一例において、おのおののデータ・ストリームのデータ・レート、符号化、および変調は、プロセッサ１４３０によって実行される命令群によって決定されうる。
【００７３】
次に、すべてのデータ・ストリームの変調シンボルが、ＴＸ  ＭＩＭＯプロセッサ１４２０に提供されうる。これはさらに、（例えば、ＯＦＤＭ用の）変調シンボルを処理しうる。ＴＸ  ＭＩＭＯプロセッサ１４２０はその後、ＮＴ個の変調シンボル・ストリームを、ＮＴ個の送信機（ＴＭＴＲ）１４２２ａ乃至１４２２ｔへ提供する。一例において、おのおののトランシーバ１４２２は、１または複数のアナログ信号を提供するために、それぞれのシンボル・ストリームを受信して処理する。おのおのの送信機１４２２は、その後さらに、ＭＩＭＯチャネルによる送信に適切な変調信号を提供するために、このアナログ信号を調整（例えば、増幅、フィルタ、およびアップコンバート）する。したがって、トランシーバ１４２２ａ乃至１４２２ｔからのＮＴ個の変調信号が、ＮＴ個のアンテナ１４２４ａ乃至１４２４ｔのそれぞれから送信されうる。
【００７４】
別の態様によれば、受信機システム１４５０において、送信された変調信号がＮＲ個のアンテナ１４５２ａ乃至１４５２ｒによって受信されうる。その後、おのおののアンテナ１４５２からの受信信号が、それぞれのトランシーバ１４５４へ提供される。一例において、おのおののトランシーバ１４５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。その後、ＲＸ  ＭＩＭＯ／データ・プロセッサ１４６０は、ＮＲ個のトランシーバ１４５４からＮＲ個のシンボル・ストリームを受信し、受信されたこれらシンボル・ストリームを、特定の受信機処理技術に基づいて処理して、ＮＴ個の「検出された」シンボル・ストリームを提供する。一例において、検出されたおのおののシンボル・ストリームは、対応するデータ・ストリームのために送信された変調シンボルの推定値であるシンボルを含みうる。ＲＸ  ＭＩＭＯ／データ・プロセッサ１４６０はその後、検出されたおのおののデータ・ストリームを、復調、デインタリーブ、および復号することに少なくとも部分的に基づいて、おのおののデータ・ストリームを処理し、対応するデータ・ストリームのためのトラフィック・データが復元される。したがって、ＲＸ  ＭＩＭＯ／データ・プロセッサ１４６０による処理は、送信機システム１４１０におけるＴＸ  ＭＩＭＯプロセッサ１４２０およびＴＸデータ・プロセッサ１４１８によって実行されたものに対して相補的でありうる。ＲＸ  ＭＩＭＯ／データ・プロセッサ１４６０は、さらに、処理されたシンボル・ストリームを、データ・シンク１４６４へ提供しうる。
【００７５】
１つの態様によれば、受信機における空間／時間処理の実行、電力レベルの調節、変調レートまたはスキームの変更、および／または、その他の適切な動作のために、ＲＸ  ＭＩＭＯ／データ・プロセッサ１４６０によって生成されたチャネル応答推定値が使用されうる。それに加えて、ＲＸ  ＭＩＭＯ／データ・プロセッサ１４６０はさらに、例えば、検出されたシンボル・ストリームの信号対雑音および干渉比（ＳＮＲ）のようなチャネル特性を推定しうる。ＲＸ  ＭＩＭＯ／データ・プロセッサ１４６０はその後、これら推定されたチャネル特性を、プロセッサ１４７０へ提供しうる。一例において、ＲＸ  ＭＩＭＯ／データ・プロセッサ１４６０および／またはプロセッサ１４７０はさらに、このシステムのための「動作」ＳＮＲの推定値を導出しうる。プロセッサ１４７０はその後、通信リンクおよび／または受信したデータ・ストリームに関連する情報を備えうるチャネル状態情報（ＣＳＩ）を提供しうる。この情報は、例えば、動作中のＳＮＲを含みうる。ＣＳＩはその後、ＴＸデータ・プロセッサ１４１８によって処理され、変調器１４８０によって変調され、トランシーバ１４５４ａ乃至１４５４ｒによって調整され、送信機システム１４１０へ送り戻される。それに加えて、受信機システム１４５０におけるデータ・ソース１４１６が、ＴＸデータ・プロセッサ１４１８によって処理されるべき追加データを提供しうる。
【００７６】
送信機システム１４１０に戻り、受信機システム１４５０からの変調信号はその後、アンテナ１４２４によって受信され、トランシーバ１４２２によって調整され、復調器１４４０によって復調され、ＲＸデータ・プロセッサ１４４２によって処理されて、受信機システム１４５０によってレポートされたＣＳＩが復元される。一例において、レポートされたＣＳＩはその後、プロセッサ１４３０へ提供され、１または複数のデータ・ストリームのために使用されるべき符号化および変調スキームのみならずデータ・レートを決定するために使用されうる。決定された符合化および変調スキームはその後、量子化および／または受信機システム１４５０へのその後の送信のために、トランシーバ１４２２へ提供されうる。それに加えて、および／または、その代わりに、レポートされたＣＳＩは、ＴＸデータ・プロセッサ１４１４およびＴＸ  ＭＩＭＯプロセッサ１４２０のためのさまざまな制御を生成するために、プロセッサ１４３０によって使用されうる。別の例では、ＲＸデータ・プロセッサ１４４２によって処理されたＣＳＩおよび／またはその他の情報が、データ・シンク１４４４へ提供されうる。
【００７７】
一例において、送信機システム１４１０におけるプロセッサ１４３０および受信機システム１４５０におけるプロセッサ１４７０は、それぞれのシステムにおける動作を指示する。さらに、送信機システム１４１０におけるメモリ１４３２と、受信機システム１４５０におけるメモリ１４７２とが、プロセッサ１４３０、１４７０のそれぞれによって使用されるプログラム・コードとデータのためのストレージを提供する。さらに、受信機システム１４５０では、さまざまな処理技術が、ＮＴ個の送信されたシンボル・ストリームを検出するために、ＮＲ個の受信信号を処理するために使用されうる。これらの受信機処理技術は、空間的および空間／時間受信機処理技術を含みうる。これらは、等値化技術、および／または、「連続ヌルイング／等値化および干渉除去」受信機処理技術とも称される。「連続ヌルイング／等値化および干渉除去」受信機処理技術は、「連続干渉除去」または「連続除去」受信機処理技術とも称されうる。
【００７８】
本明細書に記載された態様は、ハードウェア、ソフトウェア、ファームウェア、ミドルウェア、マイクロコード、あるいはこれらの任意の組み合わせによって実現されうることが理解されるべきである。システムおよび／または方法が、ソフトウェア、ファームウェア、ミドルウェアまたはマイクロコード、プログラム・コードまたはコード・セグメントで実現される場合、それらは、記憶構成要素のような機械読取可能媒体内に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００７９】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００８０】
上述したものは、１または複数の態様の一例を含んでいる。もちろん、上述した態様を説明する目的で、構成要素または方法の考えられる全ての組み合わせを記述することは可能ではないが、当業者であれば、さまざまな態様のさらに多くの組み合わせおよび置き換えが可能であることを認識することができる。したがって、記載された態様は、特許請求の範囲の精神および範囲内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、詳細説明または特許請求の範囲の何れかで使用されている用語である「または」は、「限定しない、または」であると意味される。
以下に本願出願当初の特許請求の範囲を付記する。
[Ｃ１]方法であって、
調整されたマルチ・ポイント通信を備える複数のキャリアに関連する１または複数の制御領域パラメータを受信することと、
前記１または複数の制御領域パラメータに少なくとも部分的に基づいて、前記複数のキャリアのうちの１つによって受信された１または複数の信号のデータ部分を判定することと、
前記１または複数の制御領域パラメータに少なくとも部分的に基づいて、前記複数のキャリアのうちの別の１つによって受信された１または複数の別の信号の別のデータ部分を判定すること、
を備える方法。
[Ｃ２]前記複数のキャリアのうちの１つによって、アクセス・ポイントから前記１または複数の信号を、前記複数のキャリアのうちの別の１つによって、別のアクセス・ポイントから前記１または複数の別の信号を受信すること、をさらに備えるＣ１に記載の方法。
[Ｃ３]前記１または複数の制御領域パラメータを受信することは、割り当てられた制御チャネル・リソースによって、同じアクセス・ポイントから、前記複数のキャリアのおのおのの制御領域パラメータを受信することを含む、Ｃ１に記載の方法。
[Ｃ４]前記１または複数の制御領域パラメータを受信することは、フレーム内で始まるシンボルの番号、または、前記フレーム内でデータ通信が始まるシンボルのインデクスに関する制御領域サイズを受信することを含む、Ｃ３に記載の方法。
[Ｃ５]前記１または複数の制御領域パラメータを受信することは、前記複数のキャリアのうちの１つに関連する１または複数の制御領域パラメータのうちの１つを、制御フォーマット・インジケータ・チャネル・リソースによって、制御フォーマット・インジケータ信号で受信することを含む、Ｃ１に記載の方法。
[Ｃ６]前記１または複数の制御領域パラメータを受信することは、前記複数のキャリアのうちの別の１つに関連付けられた１または複数の制御領域パラメータのうちの別の１つを、割り当てられた制御チャネル・リソースによって、同じアクセス・ポイントから受信することを含む、Ｃ５に記載の方法。
[Ｃ７]前記１または複数の制御領域パラメータのうちの１つと、前記１または複数の制御領域パラメータのうちの別の１つとの相違に少なくとも部分的に基づいて、１または複数のブランクのリソースを判定することをさらに備える、Ｃ６に記載の方法。
[Ｃ８]前記１または複数のブランクのリソースの間に、１または複数の近隣アクセス・ポイントからの干渉を測定することをさらに備える、Ｃ７に記載の方法。
[Ｃ９]前記１または複数のブランクのリソースの間に、制御シグナリングを受信することをさらに備える、Ｃ７に記載の方法。
[Ｃ１０]前記１または複数の別の信号の別のデータ部分を判定することは、前記１または複数の制御領域パラメータのうちの１つに少なくとも部分的に基づいて、前記１または複数の別の信号の別のデータ部分を判定することを含む、Ｃ５に記載の方法。
[Ｃ１１]前記１または複数の制御領域パラメータを受信することは、設定、ハードコーディング、またはネットワーク仕様から、前記１または複数の制御領域パラメータを受信することを含む、Ｃ１に記載の方法。
[Ｃ１２]前記１または複数の信号のデータ部分からのデータ、または、前記１または複数の別の信号の別のデータ部分からのデータを復号することをさらに備える、Ｃ１に記載の方法。
[Ｃ１３]データ通信のために確保されたたシンボルのサブセットに関連するインジケーションを、アクセス・ポイントから受信することをさらに備え、
前記データを復号することは、前記シンボルのサブセットにしたがって、前記１または複数の信号のデータ部分からのデータ、または、前記１または複数の別の信号の別のデータ部分からのデータを復号することを含む、Ｃ１２に記載の方法。
[Ｃ１４]無線通信装置であって、
調整されたマルチ・ポイント（ＣｏＭＰ）通信を備える複数のキャリアに関連する１または複数の制御領域パラメータを取得し、
前記１または複数の制御領域パラメータに少なくとも部分的に基づいて、前記複数のキャリアのうちの１つによって受信された１または複数の信号のデータ部分を復号し、
前記１または複数の制御領域パラメータに少なくとも部分的に基づいて、前記複数のキャリアのうちの別の１つによって受信された１または複数の別の信号の別のデータ部分を復号する、
ように構成された少なくとも１つのプロセッサと、
前記少なくとも１つのプロセッサに接続されたメモリと、
を備える無線通信装置。
[Ｃ１５]前記複数のキャリアは、ＣｏＭＰ通信を提供する複数のアクセス・ポイントに関連する、Ｃ１４に記載の無線通信装置。
[Ｃ１６]前記少なくとも１つのプロセッサは、アクセス・ポイントにおいて確立された制御チャネル・リソースによって前記１または複数の制御領域パラメータを取得する、Ｃ１４に記載の無線通信装置。
[Ｃ１７]前記１または複数の制御領域パラメータは、フレーム内の制御領域を備える最初のシンボルの番号、または、前記複数のキャリアのうちの１または複数のためのフレームとのデータ通信の開始に関連するシンボルのインデクスを含む、Ｃ１４に記載の無線通信装置。
[Ｃ１８]前記少なくとも１つのプロセッサは、前記１または複数の制御領域パラメータのうちの少なくとも１つを、制御フォーマット・インジケータ・チャネル・リソースによってアクセス・ポイントから受信した制御フォーマット・インジケータ信号から取得する、Ｃ１４に記載の無線通信装置。
[Ｃ１９]前記少なくとも１つのプロセッサはさらに、前記１または複数の制御領域パラメータのうちの別の１つを、割り当てられた制御チャネル・リソースによって前記アクセス・ポイントから取得する、Ｃ１８に記載の無線通信装置。
[Ｃ２０]前記少なくとも１つのプロセッサはさらに、前記１または複数の制御領域パラメータのうちの少なくとも１つが、前記１または複数の制御領域パラメータのうちの別の１つよりも大きな制御領域を示す場合に、ブランクのリソースを検出するように構成された、Ｃ１９に記載の無線通信装置。
[Ｃ２１]装置であって、
調整されたマルチ・ポイント（ＣｏＭＰ）通信を備える複数のキャリアに関連する１または複数の制御領域パラメータを備える制御信号を受信する手段と、
前記１または複数の制御領域パラメータに少なくとも部分的に基づいて、前記複数のキャリアのうちの１つによって受信された１または複数の信号に関連する制御領域と、前記複数のキャリアのうちの別の１つによって受信された１または複数の別の信号に関連する別の制御領域とを判定する手段と、
を備える装置。
[Ｃ２２]前記複数のキャリアはおのおの、前記ＣｏＭＰ通信におけるアクセス・ポイントに関連する、Ｃ２１に記載の装置。
[Ｃ２３]前記制御信号を受信する手段は、アクセス・ポイントによって割り当てられた制御チャネル・リソースによって前記制御信号を受信する、Ｃ２１に記載の装置。
[Ｃ２４]前記制御信号を受信する手段はさらに、前記アクセス・ポイントに関連する別の制御領域パラメータを備える別の制御信号を、制御フォーマット・インジケータ・チャネル・リソースで受信する、Ｃ２３に記載の装置。
[Ｃ２５]コンピュータ・プログラム製品であって、
少なくとも１つのコンピュータに対して、調整されたマルチ・ポイント（ＣｏＭＰ）通信を備える複数のキャリアに関連する１または複数の制御領域パラメータを取得させるためのコードと、
前記少なくとも１つのコンピュータに対して、前記１または複数の制御領域パラメータに少なくとも部分的に基づいて、前記複数のキャリアのうちの１つによって受信された１または複数の信号のデータ部分を復号させるためのコードと、
前記少なくとも１つのコンピュータに対して、前記１または複数の制御領域パラメータに少なくとも部分的に基づいて、前記複数のキャリアのうちの別の１つによって受信された１または複数の別の信号の別のデータ部分を復号させるためのコードと、
を備えるコンピュータ読取可能な媒体、を備えるコンピュータ・プログラム製品。
[Ｃ２６]前記複数のキャリアは、前記ＣｏＭＰ通信を提供する複数のアクセス・ポイントに関連する、Ｃ２５に記載のコンピュータ・プログラム製品。
[Ｃ２７]前記少なくとも１つのコンピュータに対して取得させるためのコードは、アクセス・ポイントにおいて確立された制御チャネル・リソースによって前記１または複数の制御領域パラメータを取得する、Ｃ２５に記載のコンピュータ・プログラム製品。
[Ｃ２８]前記１または複数の制御領域パラメータは、フレーム内の制御領域を備える最初のシンボルの番号、または、前記複数のキャリアのうちの１または複数のためのフレームとのデータ通信の開始に関連するシンボルのインデクスを含む、Ｃ２５に記載のコンピュータ・プログラム製品。
[Ｃ２９]前記少なくとも１つのコンピュータに対して取得させるためのコードは、前記１または複数の制御領域パラメータのうちの少なくとも１つを、制御フォーマット・インジケータ・チャネル・リソースによってアクセス・ポイントから受信した制御フォーマット・インジケータ信号から取得する、Ｃ２５に記載のコンピュータ・プログラム製品。
[Ｃ３０]前記少なくとも１つのコンピュータに対して取得させるためのコードはさらに、前記１または複数の制御領域パラメータのうちの別の１つを、割り当てられた制御チャネル・リソースによって前記アクセス・ポイントから取得する、Ｃ２９に記載のコンピュータ・プログラム製品。
[Ｃ３１]装置であって、
調整されたマルチ・ポイント（ＣｏＭＰ）通信で、複数のキャリアに関連する１または複数の制御領域パラメータを備える制御信号を取得する受信構成要素と、
前記１または複数の制御領域パラメータに少なくとも部分的に基づいて、前記複数のキャリアのうちの１つによって受信された１または複数の信号に関連する制御領域と、前記複数のキャリアのうちの別の１つによって受信された１または複数の別の信号に関連する別の制御領域とを検出する制御領域判定構成要素と、
を備える装置。
[Ｃ３２]前記複数のキャリアはおのおの、前記ＣｏＭＰ通信におけるアクセス・ポイントに関連する、Ｃ３１に記載の装置。
[Ｃ３３]前記受信構成要素は、アクセス・ポイントによって割り当てられた制御チャネル・リソースによって前記制御信号を取得する、Ｃ３１に記載の装置。
[Ｃ３４]前記受信構成要素はさらに、前記アクセス・ポイントに関連する別の制御領域パラメータを備える別の制御信号を、制御フォーマット・インジケータ・チャネル・リソースで取得する、Ｃ３３に記載の装置。
[Ｃ３５]方法であって、
複数のキャリアによって、調整されたマルチ・ポイント（ＣｏＭＰ）信号を通信することに関連する複数の制御領域フォーマットを受信することと、
前記複数の制御領域フォーマットに関連する１または複数の制御領域パラメータを備える信号を生成することと、
前記信号を、制御チャネル・リソースによって、１または複数の無線デバイスに送信することと、
を備える方法。
[Ｃ３６]前記複数の制御領域フォーマットを受信することは、前記複数の制御領域フォーマットを、前記複数のキャリアに関連するＣｏＭＰ通信を実施する複数のアクセス・ポイントから受信することを含む、Ｃ３５に記載の方法。
[Ｃ３７]１または複数の別の制御領域パラメータを、制御フォーマット・インジケータ信号で示すことと、
前記制御フォーマット・インジケータ信号を、制御フォーマット・インジケータ・チャネル・リソースで、前記１または複数の無線デバイスへ送信することと、
をさらに備える、Ｃ３５に記載の方法。
[Ｃ３８]前記複数の制御領域フォーマットから除外された１または複数の別の制御領域パラメータに関連するリソース部分に少なくとも部分的に基づいて、１または複数のブランクのリソースを判定することをさらに備える、Ｃ３７に記載の方法。
[Ｃ３９]前記１または複数のブランクのリソースを用いて、前記１または複数の無線デバイスへ通信を送信することをさらに備える、Ｃ３８に記載の方法。
[Ｃ４０]データ通信に関連するフレームにおけるシンボルのサブセットを判定することと、
前記シンボルのサブセットを、前記１または複数の無線デバイスに示すことと、
をさらに備えるＣ３５に記載の方法。
[Ｃ４１]無線通信装置であって、
複数のキャリアによって、調整されたマルチ・ポイント信号を通信することに関連する複数の制御領域フォーマットを取得し、
前記複数の制御領域フォーマットに関連する１または複数の制御領域パラメータを備える信号を生成し、
前記信号を、１または複数の無線デバイスに割り当てられた制御チャネル・リソースによって送信する、
ように構成された少なくとも１つのプロセッサと、
前記少なくとも１つのプロセッサに接続されたメモリと、
を備える無線通信装置。
[Ｃ４２]前記複数のキャリアはおのおの、複数のアクセス・ポイントのうちの１つに関連する、Ｃ４１に記載の無線通信装置。
[Ｃ４３]前記少なくとも１つのプロセッサはさらに、前記無線通信装置の１または複数の別の制御領域パラメータに関連する別の信号を、制御フォーマット・インジケータ・チャネル・リソースで送信するように構成された、Ｃ４１に記載の無線通信装置。
[Ｃ４４]装置であって、
複数のキャリアによって、調整されたマルチ・ポイント信号を通信することに関連する複数の制御領域フォーマットを受信する手段と、
前記複数の制御領域フォーマットに関連する１または複数の制御領域パラメータを備える信号を生成する手段と、
前記信号を、制御チャネル・リソースによって、１または複数の無線デバイスに送信する手段と、
を備える装置。
[Ｃ４５]前記複数のキャリアはおのおの、複数のアクセス・ポイントのうちの１つに関連する、Ｃ４４に記載の装置。
[Ｃ４６]コンピュータ・プログラム製品であって、
少なくとも１つのコンピュータに対して、複数のキャリアによって調整されたマルチ・ポイント信号を通信することに関連する複数の制御領域フォーマットを取得させるためのコードと、
前記少なくとも１つのコンピュータに対して、前記複数の制御領域フォーマットに関連する１または複数の制御領域パラメータを備える信号を生成させるためのコードと、
前記少なくとも１つのコンピュータに対して、１または複数の無線デバイスに割り当てられた制御チャネル・リソースによって前記信号を送信させるためのコードと、
を備えるコンピュータ読取可能な媒体、を備えるコンピュータ・プログラム製品。
[Ｃ４７]前記複数のキャリアはおのおの、複数のアクセス・ポイントのうちの１つに関連する、Ｃ４６に記載のコンピュータ・プログラム製品。
[Ｃ４８]前記コンピュータ読取可能な媒体はさらに、前記少なくとも１つのコンピュータに対して、１または複数の別の制御領域パラメータに関連する別の信号を、制御フォーマット・インジケータ・チャネル・リソースで送信させるためのコードを備える、Ｃ４６に記載のコンピュータ・プログラム製品。
[Ｃ４９]装置であって、
複数のキャリアによって、調整されたマルチ・ポイント信号を通信することに関連する複数の制御領域フォーマットを取得する制御パラメータ受信構成要素と、
前記複数の制御領域フォーマットに関連する１または複数の制御領域パラメータを備える信号を生成する制御チャネル・シグナリング構成要素と、
前記信号を、制御チャネル・リソースによって、１または複数の無線デバイスへ通信する送信構成要素と、
を備える装置。
[Ｃ５０]前記複数のキャリアはおのおの、複数のアクセス・ポイントのうちの１つに関連する、Ｃ４９に記載の装置。
【図１】
0005453531.tif 000002
【図２】
0005453531.tif 000003
【図３】
0005453531.tif 000004
【図４】
0005453531.tif 000005
【図５】
0005453531.tif 000006
【図６】
0005453531.tif 000007
【図７】
0005453531.tif 000008
【図８】
0005453531.tif 000009
【図９】
0005453531.tif 000010
【図１０】
0005453531.tif 000011
【図１１】
0005453531.tif 000012
【図１２】
0005453531.tif 000013
【図１３】
0005453531.tif 000014
【図１４】
0005453531.tif 000015